(57)【要約】【課題】本発明はフレーム同期化及び／又はチャネル推定に適したフレームワードを含むパイロット信号を提供する。【解決手段】複数のスロットからのパイロットビットにより形成されるワードをラッチングしている複数のラッチ回路と、該ラッチ回路に結合され、前記ワードを一連の所定の値に相関させる複数の相関器と、前記相関器それぞれの集合を結合して、同じ大きさで極性が反対である最大ピーク値が０時間シフト及び中間時間シフトで形成されるようにする結合器とを含むことを特徴とする。【選択図】　図２４Ａ
2004120729.tif 000002
【特許請求の範囲】
【請求項１】
基地局と移動局との間の通信チャネルでサイドローブを除去する方法であって、
（ａ）Ｌビットの第１シーケンス及びＬビットの第２シーケンスを有する制御信号と、データ信号とを、前記通信チャネル内で生成する段階と、
（ｂ）第１所定値の集合と所定の第１関係を有する第１シーケンスに基づいて、第１所定値の集合を生成する段階と、
（ｃ）第２所定値の集合と所定の第２関係を有する第２シーケンスに基づいて、第２所定値の集合を生成する段階と、
（ｄ）前記第１及び第２所定値の集合を結合する段階と、
を備えることを特徴とする方法。
【発明の詳細な説明】
【０００１】
【発明の属する技術分野】
本発明は通信システムに係り、特に、セルラー通信システムに関する。
【０００２】
【従来の技術】
コード分割多重接続（ＣＤＭＡ：Ｃｏｄｅ　ｄｉｖｉｓｉｏｎ　ｍｕｌｔｉｐｌｅ　ａｃｃｅｓｓ）方式を用いた変調技術はいろんなシステムで容易な通信のための技術として用いられている。
【０００３】
図１はセルラー電話機を含む各ユーザー装置１２ａ、１２ｂと基地局（ＢＴＳ）１４ａ、１４ｂ間の通信において、ＣＤＭＡ変調技術を用いる一般的なシステム１０を示すものである。
【０００４】
基地局制御器（ＢＳＣ）１６は基地局１４ａ、１４ｂにシステム制御を提供するためのインターペース回路及び処理回路を含んでいる。その基地局制御器１６は適宜のユーザー装置の伝送のために、公衆交換電話網（ＰＳＴＮ：Ｐｕｂｌｉｃ　Ｓｗｉｔｃｈｅｄ　Ｔｅｌｅｐｈｏｎｅ　Ｎｅｔｗｏｒｋ）から適宜基地局への電話呼のルーティング（ｒｏｕｔｉｎｇ）を制御する。その基地局制御器１６はまたユーザー装置から少なくとも一つの基地局を経て、公衆交換電話網に呼のルーティングを制御する。その基地局制御器１６は適宜の基地局を通してユーザー装置間の呼を支持することもできる。ユーザー装置は大体他のユーザー装置とは直接通信することができないからである。前記基地局制御器１６は普通専用電話線や光ファイバーリンクを含む各種手段、またはマイクロウェーブ通信リンクによって基地局１４ａ、１４ｂと結合される。
【０００５】
矢印１３ａ〜１３ｄは基地局１４ａとユーザー装置１２ａ、１２ｂ間に可能な通信リンクを定義したものである。矢印１５ａ〜１５ｄは基地局１４ｂとユーザー装置１２ａ、１２ｂ間に可能な通信リンクを定義したものである。
【０００６】
逆方向チャネルや上りリンク（ユーザー装置から基地局へのチャネル又はリンク）で、ユーザー装置信号は基地局１４ａ及び／又は基地局１４ｂにより受信され、復調及び結合した後、結合地点の基地局制御器１６にその信号を伝達する。
【０００７】
順方向チャネルや下りリンク（基地局からユーザー装置へのチャネル又はリンク）で、基地局信号はユーザー装置１２ａ及び／又はユーザー装置１２ｂにより受信される。前記システムは米国特許第５，１０１，５０１号、第５，１０３，４５９号、第５，１０９，３９０号、そして、第５，４１６，７９７号に記述され、それらの全般的な公開内容は参考資料として本明細書に含まれる。
【０００８】
無線チャネルは本質的にその習性を予測し難く、実際電波測定情報を用いた通計的方式で設計される。通常、無線環境内の信号フェーディングは送信機と受信機の間の可視距離存在有無により、対数正規分布（ｌｏｇ−ｎｏｒｍａｌ　ｄｉｓｔｒｉｂｕｔｉｏｎ）を有する中間規模の低速変化成分と大規模の経路損失成分及び、ライシアン（Ｒｉｃｉａｎ）レイリー（Ｒａｙｌｅｉｇｈ）分布を有する小規模の高速変化成分に分解される。
【０００９】
図２はこれらの相違した三つの電波現象を示すものである。送信機と受信機との間で伝送経路の急変化が発見されるが、このような変化は直接可視距離から、ビル、山、木などによって妨げられるに至るまで多様である。反射や物体周囲の回折及び屈折に起因したり、距離が遠くなるに伴う受信電力の減少現象は経路損失として知られている。
【００１０】
図２に示すように、伝送信号は送信機と受信機との間の障害物により反射され多重経路チャネルを生成する。相違の遅延時間を有する多重経路の干渉のため、受信信号は周波数選択的多重経路フェーディングを受ける。例えば、２ＧＨｚの搬送波周波数が用いられ、ユーザー装置を有する自動車が１００ｋｍ／ｈ速度で走るとき、フェーディングの最大ドップラー周波数は１８５Ｈｚである。コヒーレント検出（ｃｏｈｅｒｅｎｔ　ｄｅｔｅｃｔｉｏｎ）がリンク容量を増加させるために用いられる反面、前記のような高速フェーディング下でコヒーレント検出のためのチャネル推定は一般的にその達成が難しい。フェーディングチャネルのため、変調した情報信号のコヒーレント検出のための位相基準を得ることは難しい。従って、別個のパイロットチャネルを有することが更に有用である。
【００１１】
一般に、コヒーレント検出のためのチャネル推定は共通パイロットチャネルから得られる。
【００１２】
しかし、単方向アンテナによって伝送された共通パイロットチャネルは狭小ビームを介して伝送されたトラフィックチャネル信号と異なる無線チャネルを有する。共通制御チャネルは適応アンテナが用いられる時下りリンクで度々問題を起こすことが分かった。前記問題点は、チャネル推定のための基準信号として用いられるユーザー専用パイロットシンボルによって解消され得る。前記専用パイロットシンボルは時間またはコードにより多重化されることができる。
【００１３】
図３は低速フェーディングから高速フェーディングに変化する環境下で、改選したチャネル推定技法のための時間多重化パイロットシンボル用送信機及び受信機のブロック構成図を示すものである。従来のパイロットシンボルは伝送データシーケンスに周期的に多重化される。前記パイロットシンボルとデータシンボルは、図３に示すように、一つのスロットから構成されている。
【００１４】
さらに、情報信号は直接拡散コード分割多重接続（ＤＳ−ＣＤＭＡ）送信機で拡散コードにより変調し、受信機ではそれと同一コードに相関される。従って、適宜ユーザーと干渉ユーザー間の低い相互相関が多重接続干渉を抑えるに重要である。安定的な初期同期のためには、良好な自己相関特性が必要であり、これは自己相関関数の大きなサイドロブ（ｓｉｄｅｌｏｂｅ）が間違ったコード同期決定をもたらすことがあるからである。更に、良好な自己相関特性は多重経路成分を安定的に分離するに重要なものである。
【００１５】
拡散コードの自己相関関数は、白色ガウス（ｇａｕｓｓｉａｎ）雑音の自己相関関数と、なるべく類似となるべきことから、直接拡散コードシーケンスは、疑似雑音（Ｐｓｅｕｄｏ　Ｎｏｉｓｅ）シーケンスとも呼ばれる。
【００１６】
自己相関関数及び相互相関関数は、同時に好ましい自己相関値と相互相関値を得にくい方式連結されている。これは、良好な自己相関特性を有するものがまたシーケンスに対する良好な任意性を現すことに注目すれば分かるだろう。任意コードは決定的コードより良くない相互相関特性を現す。
【００１７】
このような移動通信システムは相違した開発段階を経、多様な国々で相違した標準が用いられてきた。１９８０年代の第１世代移動システムは音声サービスのためにアナログ伝送を用いた。アメリカの進歩した移動電話サービス（ＡＭＰＳ：Ａｄｖａｎｃｅｄ　Ｍｏｂｉｌｅ　Ｐｈｏｎｅ　Ｓｅｒｖｉｃｅ）、英国の全面アクセス通信システム（ＴＡＣＳ：Ｔｏｔａｌ　Ａｃｃｅｓｓ　Ｃｏｍｍｕｎｉｃａｔｉｏｎ　Ｓｙｓｔｅｍ）、スカンジナビアの北ヨーロッパ移動電話（ＮＭＴ：Ｎｏｒｄｉｃ　Ｍｏｂｉｌｅ　Ｔｅｌｅｐｈｏｎｅ）及び、日本の日本電信電話サービス（ＮＴＴ：Ｎｉｐｐｏｎ　Ｔｅｌｅｐｈｏｎｅ　ａｎｄ　Ｔｅｌｅｇｒａｐｈ）が前記第１世代システムに属する。
【００１８】
デジタル伝送を用いる第２世代システムは１９８０年代後半に紹介された。前記システムは第１世代システムよりさらに高いスペクトル効率を提供し、より一層のデータサービス及び進歩したローミング（ｒｏａｍｉｎｇ）を提供する。ヨーロッパのグローバル移動通信システム（ＧＳＭ：Ｇｌｏｂａｌ　Ｓｙｓｔｅｍ　ｆｏｒ　Ｍｏｂｉｌｅ　Ｃｏｍｍｕｎｉｃａｔｉｏｎ）、日本の個人デジタルセルラーシステム（ＰＤＣ：Ｐｅｒｓｏｎａｌ　Ｄｉｇｉｔａｌ　Ｃｅｌｌｕｌａｒ）及び、アメリカの国際標準−９５（ＩＳ−９５）が前記第２世代システムに属する。
【００１９】
最近は、第２世代移動無線セットワークの研究が活発に行われてきて、その結果が期待されているところである。国際電気通信連合（ＩＴＵ：Ｉｎｔｅｒｎａｔｉｏｎａｌ　Ｔｅｌｅｃｏｍｍｕｎｉｃａｔｉｏｎ　Ｕｎｉｏｎ）では第３世代ネットワークがＩＭＴ−２０００（Ｉｎｔｅｒｎａｔｉｏｎａｌ　Ｍｏｂｉｌｅ　Ｔｅｌｅｃｏｍｍｕｎｉｃａｔｉｏｎ−２０００）と称され、ヨーロッパではユニバーサル移動通信システム（ＵＭＴＳ：Ｕｎｉｖｅｒｓａｌ　Ｍｏｂｉｌｅ　ＴｅｌｅｃｏｍｍｕｎｉｃａｔｉｏｎＳｙｓｔｅｍ）と称されている。ＩＭＴ−２０００はマルチメディア及び高ビット率のペキットデータを含む多数のサービスを提供するであろう。
【００２０】
広帯域コード分割多重接続（Ｗ−ＣＤＭＡ）は第３世代ネットワークのための主流無線インターフェースの解法として出現した。Ｗ−ＣＤＭＡは現在、ヨーロッパ遠隔通信標準化協会（ＥＴＳＩ：Ｅｕｒｏｐｅａｎ　Ｔｅｌｅｃｏｍｍｕｎｉｃａｔｉｏｎ　Ｓｔａｎｄａｒｄ　Ｉｎｓｔｉｔｕｔｅ）、日本の無線産業及び事業協会（ＡＲＩＢ：Ａｓｓｏｃｉａｔｉｏｎ　ｆｏｒ　Ｒａｄｉｏ　Ｉｎｄｕｓｔｒｙ　ａｎｄ　Ｂｕｓｉｎｅｓｓ）、アメリカのＴＩＡ技術協会のＴＲ４５、ＴＲ４６、Ｔ１協会のＴ１Ｐと、韓国のＴＴＡＩ、ＴＴＡＩＩ、（各々国際ＣＤＭＡＩ、国際ＣＤＭＡＩＩに改名された）で標準化進行中にある。
【００２１】
前記内容及び多様なシステムの背景は１９９８年Ａｒｔｅｃｈ　Ｈｏｕｓｅ　Ｐｕｂｌｉｓｈｅｒから出版されたＴ．Ｏｊａｎｐｅｒａ　ｅｔ　ａｌ著書の”第３世代移動通信用広帯域コード分割多重接続”に開示されており、その中の発表の内容は参考資料として本明細書に含まれる。
【００２２】
最近、日本の無線産業事業協会、ヨーロッパのヨーロッパ遠隔通信標準化機構、アメリカのＴ１、韓国のＴＴＡは映像及びデータのようなマルチメディアを含む多様なサービスを提供するＧＳＭの無線接続技術及びコアネットワークに基づいた第３世代移動通信システムを計画してきた。進化した次世代移動通信システムに関する技術的明細を提示するためこれらは共同研究に同意し、これのためのプロジェクタを「３世代共同プロジェクタ」（Ｔｈｉｒｄ　Ｇｅｎｅｒａｔｉｏｎ　Ｐａｒｔｎｅｒｓｈｉｐ　Ｐｒｏｊｅｃｔ：３ＧＰＰ）と名付けた。
【００２３】
前記３ＧＰＰは次の３つの技術研究部門に分けられる。
【００２４】
第一は、３ＧＰＰシステム及びサービス部門であって、これは３ＧＰＰ明細書に基づいたシステム構造及びサービス能力に対して研究する。
【００２５】
第二は、ユニバーサル無線接続ネットワーク（ＵＴＲＡＮ）に対する研究部門である。ここで、ＵＴＲＮは周波数分割デュープレックス（ＦＤＤ：Ｆｒｅｑｕｅｎｃｙ　Ｄｉｖｉｓｉｏｎ　Ｄｕｐｌｅｘ）モードに基づいた広帯域ＣＤＭＡ（Ｗｉｄｅｂａｎｄ−ＣＤＭＡ）と、時間分割デュープレックス（ＴＤＤ：Ｔｉｍｅ　Ｄｉｖｉｓｉｏｎ　Ｄｕｐｌｅｘ）モードに基づいたＴＤ−ＣＤＭＡを適用した無線接続ネットワーク（ＲＡＮ：Ｒａｄｉｏ　Ａｃｃｅｓｓ　Ｎｅｔｗｏｒｋ）である。
【００２６】
第三は、２世代の移動通信世界化システム（ＧＳＭ）から進化して、移動性管理及び全世界的ローミングのような３世代ネットワーキング能力を有するコアネットワークに対する研究部門である。
【００２７】
前記３ＧＰＰの技術研究部門のうちＵＴＲＡＮに関する研究の部門では伝送チャネル及び物理チャネルを定義且つ説明している。この技術明細（ＴＳＳ１，１１ｖ１．１．０）は１９９９年３月に配布された。その技術明細の全般的な公開内容は参考資料として本明細書に含まれる。
【００２８】
前記物理チャネルは、上りリンク及び下りリンクで用いられる専用物理チャネル（ＤＰＣＨ：Ｄｅｄｉｃａｔｅｄ　Ｐｈｙｓｉｃａｌ　Ｃｈａｎｎｅｌ）を含む。各専用物理チャネル（ＤＰＣＨ）は一般的にスーパーフレーム、無線フレーム及びタイムスロットの三つの層を備えている。３ＧＰＰ無線接続ネットワーク（ＲＡＮ）規格で、スーパーフレームは７２０ｍｓ周期の最大フレーム単位を有する。システムフレーム数の観点から見て、スーパーフレームは７２個の無線フレームより構成される。
【００２９】
各無線フレームは１０ｍｓ周期を有し、一つの無線フレームは１６個のタイムスロットを含む。各タイムスロットは専用物理チャネル（ＤＰＣＨ）に基づいて該情報ビットを有するフィールドを含む。
【００３０】
図４は３ＧＰＰ無線接続ネットワーク（ＲＡＮ）規格に基づいた上りリンク専用物理チャネル（ＤＰＣＨ）のフレーム構造を示す図面である。
【００３１】
上りリンク専用物理チャネル（ＤＰＣＨ）は二つの形態のチャネル、即ち、専用物理データチャネル（ＤＰＤＣＨ）と専用物理制御チャネル（ＤＰＣＣＨ）を備えている。上りリンク専用物理データチャネル（ＤＰＤＣＨ）は専用データの伝達に適したもので、上りリンク専用物理制御チャネル（ＤＰＣＣＨ）は制御情報の伝達に適したものである。
【００３２】
制御情報の伝達のための上りリンク専用物理制御チャネル（ＤＰＣＣＨ）はＮｐ　ｉ　ｌ　ｏ　ｔビットのパイロットフィールド２１、ＮＴ　Ｐ　Ｃビットの伝送電力制御（ＴＰＣ）フィールド２２、ＮＦＢＩビットのフィードバック情報（ＦＢＩ）フィールド２３、及び、ＮＴＦＣＩビットのオプショナル伝送結合インジケータ（ＴＦＣＩ）フィールド２４のような種々のフィールドより構成されている。
【００３３】
パイロットフィールド２１はコヒーレント検出のためのチャネル推定を支援するＮｐ　ｉ　ｌ　ｏ　ｔビットを含む。オプショナル伝送結合インジケータ（ＴＦＣＩ）２４はシステムによる多数サービスの同時提供を支援する。上りリンク専用物理制御チャネル（ＤＰＣＣＨ）にオプショナル伝送結合インジケータ（ＴＦＣＩ）２４が含まれないことは、関係したサービスが固定比率サービスであることを意味する。パラメータｋは上りリンクＤＰＤＣＨ／ＤＰＣＣＨスロット当たりビットの数を決定し、これはＳＦ＝２５６／２ｋのように、物理チャネルの拡散因子（ｓｐｒｅａｄｉｎｇ　ｆａｃｔｏｒ；ＳＦ）に関係している。拡散因子（ＳＦ）は２５６から４までの範囲となり得る。
【００３４】
図５は上りリンク専用物理制御チャネル（ＤＰＣＣＨ）の多様な情報を示す表であり、ここで、チャネルビットレート及びチャネルシンボルレートは拡散直前のレートである。（このような技術的説明時、図４（Ｎｐ　ｉ　ｌ　ｏ　ｔ、ＮＴ　Ｐ　Ｃ、ＮＦ　Ｂ　Ｉ、ＮＴ　Ｆ　ＣＩ）の相違した上向きフィールド専用物理制御チャネル（ＤＰＣＣＨ）フィールドの正確なビットの数は決定されていない。）
図６は上りリンクＤＰＣＣＨのパイロットビットパターンを示す表であり、特に、各スロットに対して６ビット及び８ビットパイロットビットパターンを示すものである。図６で、非陰影シーケンスはチャネル推定に用いられ、陰影シーケンスはフレーム同期ワードまたはフレーム同期シーケンスとして用いられる。フレーム同期ワードを除いたパイロットビット、つまり、チャネル推定ワードは”１”のビット値を有する。
【００３５】
例えば、各スロットが６ビットパイロットビット（Ｎｐ　ｉ　ｌ　ｏ　ｔ＝６）を含む場合は、スロット＃１からスロット＃１６によって、ビット＃１（Ｃ１）、ビット＃２（Ｃ２）、ビット＃４（Ｃ３）、ビット＃５（Ｃ４）に形成されたシーケンスがフレーム同期ワードとして用いられる。各スロットのパイロットビットの数が６ビットまたは８ビットの場合、全部で四つのシーケンスがフレーム同期ワードとして用いられる。結果的に、一つの無線フレームは１６個のタイムスロットを備えているから、フレーム同期ワードとして用いられるパイロットビットの数はフレーム当たり６４ビットである。
【００３６】
図７は３ＧＰＰ無線接続ネットワーク（ＲＡＮ）規格に基づいた上りリンク専用物理チャネル（ＤＰＣＨ）に対する拡散及びスクランブリング装置を示す図面である。
【００３７】
図７の装置は上りリンク専用物理データチャネル（ＤＰＤＣＨ）及び専用物理制御チャネル（ＤＰＣＣＨ）がそれぞれＩ及びＱチャネル支流にマッピングされる４相位相シフトキーイング（Ｑｕａｄｒａｔｕｒｅ　Ｐｈａｓｅ　Ｓｈｉｆｔ　Ｋｅｙｉｎｇ；以下、ＱＰＳＫ）の実行のために提供される。
【００３８】
拡散は全てのシンボルが各チャネル支流を通して多数のチップに転換される作業である。Ｉ及びＱチャネル支流はそれぞれ二つの相違する直交可変拡散因子（ＯＶＳＦ：Ｏｒｔｈｏｇｏｎａｌ　Ｖａｒｉａｂｌｅ　Ｓｐｒｅａｄｉｎｇ　Ｆａｃｔｏｒ）、つまり、相違したチャネル化コード（ＣＤまたはＣＣ）に基づいたチップ比率により拡散する。その直交可変拡散因子（ＯＶＳＦ）は各チャネル支流上のシンボル当たりチップの数を現す。　拡散したこれらの二つのチャネル支流は合算され、再び特定の複素スクランブルされた結果は実数と虚数とに分離され、それぞれの搬送波に載せられた後伝送される。
【００３９】
図８は３ＧＰＰ無線接続ネットワーク（ＲＡＮ）規格に基づいた下りリンク専用物理チャネル（ＤＰＣＨ）のフレーム構造を示す図面である。上りリンク専用物理チャネル（ＤＰＣＨ）でパイロットビット（又はシンボル）の数は６ビット又は８ビットであるが、これは、前記上りリンク専用物理チャネル（ＤＰＣＨ）が１６Ｋｂｐｓの固定レートで動作するからである。しかし、下りリンク専用物理チャネル（ＤＰＣＨ）は可変レートで動作するので、　図９に示すようなパイロットシンボルパターンを有する。
【００４０】
図８で、下りリンク専用物理チャネル（ＤＰＣＨ）も上りリンク専用物理チャネル（ＤＰＣＨ）と同様に、専用物理データチャネル（ＤＰＤＣＨ）及び専用物理制御チャネル（ＤＰＣＣＨ）の二つの種類のチャネルを備えている。制御情報の伝達のための下りリンク専用物理制御チャネル（ＤＰＣＣＨ）はＮｐ　ｉ　ｌ　ｏ　ｔ　ビットのパイロットフィールド２７、ＮＴＰＣビットの伝送電力制御（ＴＰＣ）フィールド２６及びＮＴＦＣＩビットのオプショナル伝送結合インジケータ（ＴＦＣＩ）フィールド２５のような種々のフィールドより構成される。前記パイロットフィールド２７はコヒーレント検出のためのチャネル推定を支援するＮｐ　ｉ　ｌ　ｏ　ｔ　シンボルを含む。
【００４１】
図９は下りリンク専用物理制御チャネル（ＤＰＣＣＨ）に含まれたパイロットシンボルのパターンを示す表であり、ここで、前記パターンは下りリンク専用物理制御チャネル（ＤＰＣＣＨ）のそれぞれ異なるシンボルレートによって分類されている。例えば、シンボルレートが１６、３２、６４又は１２８ｋｂｐｓの場合、それぞれのスロットは１チャネル支流に対する四つのパイロットシンボル、そして、Ｑチャネル支流に対する四つのシンボルを含み、従って、シンボルの総数は８個である。
【００４２】
図９で非陰影シーケンスはチャネル推定に用いられ、陰影シーケンスはフレーム同期ワードとして用いられる。フレーム同期ワードを除いた他のパイロットシンボル、つまり、チャネル推定ワードは”１”のビット値を有する。例えば、シンボルレートが１６、３２、６４又は１２８ｋｂｐｓの場合、スロット＃１からスロット＃１６までのパイロットシンボルによってシンボル＃１及びシンボル＃３に形成されたシーケンスがフレーム同期ワードとして用いられる。従って、フレーム同期ワードとして用いられるパイロットシンボルの数が各スロット当たり４個であるから、６４個のパイロットシンボルが各無線フレーム毎に用いられる。
【００４３】
図１０は３ＧＧＰ無線接続ネットワーク（ＲＡＮ）規格に基づいた下りリンク専用物理チャネル（ＤＰＣＨ）に対する拡散及びスクランブリング装置を示す図面である。図１０の装置は下りリンク専用物理チャネル（ＤＰＣＨ）と共通制御物理チャネル（ＣＣＰＣＨ：Ｃｏｍｍｏｎ　Ｃｏｎｔｒｏｌ　Ｐｈｙｓｉｃａｌ　Ｃｈａｎｎｅｌ）の拡散及びスクランブリングのために提供される。ＱＰＳＫ動作は前記シンボルがそれぞれシリアル／パラレル変換し、それから、Ｉ及びＱチャネル支流にマッピングされるよう、二つのチャネルの一対のシンボルに対して実行する。
【００４４】
Ｉチャネル支流及びＱチャネル支流は、同一の二つのチャネル化コード（Ｃｃｈ）に基づいたチップレートにそれぞれ拡散する。拡散したそれらの二つのチャネル支流は合算され、再び特定の複素スクランブリングコードのＣｓｃｒａｍｂによって複素スクランブリングされる。複素スクランブリングされた結果は実数と虚数とに分離され、それぞれの搬送波に載せられた後伝送される。特に、同一スクランブリングコードが一つのセルの全ての物理チャネルに対して用いられる反面、相違した物理チャネルに対しては互いに異なるチャネル化コードが用いられる。データ及び多様な制御情報は、前記した拡散及びスクランブリングを経た上りリンク及び下りリンク専用物理チャネル（ＤＰＧＨｓ）を介して受信器に伝送される。
【００４５】
ＴＳＳ１．１１　ｖ１．１．０明細書には、放送チャネルを運搬するに用いられる固定レート下りリンク物理チャネルの主共通制御物理チャネル（ＰＣＣＰＣＨ：Ｐｒｉｍａｒｙ　Ｃｏｍｍｏｎ　Ｃｏｎｔｒｏｌ　Ｐｈｙｓｉｃａｌ　ｃｈａｎｎｅｌ）及び、一定のレートで順方向アクセスチャネル（ＦＡＣＨ）と呼び出しチャネル（ＰＣＨ：Ｐａｇｉｎｇ　ｃｈａｎｎｅｌ）を運搬する補助共通制御物理チャネル（ＳＣＣＰＣＨ：Ｓｅｃｏｎｄａｒｙ　Ｃｏｍｍｏｎ　Ｃｏｎｔｒｏｌ　Ｐｈｙｓｉｃａｌ　ｃｈａｎｎｅｌ）が明示されている。
【００４６】
図１１Ａ及び１１Ｂはそれぞれパイロットフィールドを有するＰＣＣＰＣＨ及びＳＣＣＰＣＨのフレーム構造を示す図面である。ＴＳＳ１．１１　ｖ１．１．０明細書はＰＣＣＰＣＨとＳＣＣＰＣＨに対するパイロットパターンを勧告する。また、ＴＳＳ１．１１　ｖ１．１．０明細書では時空ブロックコーディング（Ｓｐａｃｅｔｉｍｅ　ｂｌｏｃｋ　ｃｏｄｉｎｇ）に基づいた伝送ダイバーシティ（ＳＴＴＤ）及びＰＣＣＰＣＨとＳＣＣＰＣＨのためのダイバーシティアンテナパイロットパターンによる開放ループアンテナダイバーシティを用いる、ダイバーシティアンテナのための専用物理チャネル（ＤＰＣＨ）のパイロットパターンが勧告されている。
【００４７】
フレーム同期のための自己相関関数はパイロットパターンシーケンスに基づいて行われるべきである。パイロットシーケンスの設計において、同期に対して誤報の確率を減らすためには、最も低い相関結果を有するシーケンスの自己相関を探すことが重要である。誤報はピークが検出されないべき所で検出された場合に決定される。
【００４８】
最適に、所定のパイロットビットで一つのシーケンスを有する一つのフレームに対する自己相関結果値は、一つの相関周期の０時間シフト及び中間時間シフトで、同じ大きさであり極性の異なる最大値を有する。そして、その相関周期の０時間シフトと中間時間シフトを除いた残りサイドローブの時間シフトは０の相関値を有するべきである。しかし、ＴＳＳ１．１１　ｖ１．１．０で勧告されている上りリンク及び下りリンクでの多様なパイロットパターンは前記条件を満たしていない。
【００４９】
本発明の発明者、Ｙｏｕｎｇ　Ｊｏｏｎ　Ｓｏｎｇが共同執筆した”ディジタルセルラー電話に対する二重臨界値を有する同期化シーケンス設計”という記事（１９９８年８月１８日−２０日）では、ＧＳＭコードに対する相関器回路を記述している。前記回路で相関結果値は第１ピーク及び第２ピークを有する０時間シフトと中間時間シフトを除いた時間シフトで全て９であり、ここで、前記第１ピーク及び第２ピークは互いに反対の極性を有し、大きさも同一ではない。また、前記記事では＋４と−４の最小の相関結果値を記述する。しかし、前記記事ではこのようなシーケンスと自己相関が前記した最適の結果を達成するためにどの様に用いられるか開示されてなく、また、前記シーケンスが最小自己相関サイドローブを達成できるかについて満足すべき説明を提供していない。
【００５０】
前述したように、フレーム同期ワードまたはシーケンスとして用いられる前記パイロットパターンは最適の結果値が得られず、また、既存のパイロットパターンは迅速且つ正確なフレーム同期化を行えなかった。更に、前記パイロットパターンとフレーム同期化シーケンスは最適の相互相関結果及び自己相関結果を提供しない。更に、ＴＳ明細書や前記記事の何れにもスロット単位で二重検査が可能なフレーム同期化技法のためのパイロットパターンの使用に対する解法を提示していないのみならず、推定に対するフレーム同期化シーケンスの使用についても開示されていない。
【００５１】
【発明が解決しようとする課題】
本発明の目的は、少なくとも従来の問題点と短所を解決することにある。
【００５２】
本発明の目的は、最適の自己相関結果が得られるフレーム同期ワードを提供することにある。
【００５３】
本発明の他の目的は、サイドローブを除去したり防止することにある。
【００５４】
本発明の他の目的は、０時間シフトと中間時間シフトで最大値を提供することにある。
【００５５】
本発明のまた他の目的は、迅速及び正確のうちの少なくとも一方のフレーム同期化のための一つのフレーム同期ワードを提供することにある。
【００５６】
本発明のまた他の目的は、スロット単位で二重検査が可能なフレーム同期化技法を提供することにある。
【００５７】
本発明のまた他の目的は、チャネル推定に用いられるフレーム同期ワードを提供することにある。
【００５８】
本発明のまた他の目的は、より良好な相互相関及び自己相関結果を同時に提供することにある。
【００５９】
【課題を解決するための手段】
本発明は、（１）通信リンクにおける各物理チャネルを介して、フレームにおける各スロットのパイロットシンボルを受信し、（２）各パイロットシンボルの受信した位置と、対応するパイロットシーケンスを相関させ、（３）１より多い相関結果を結合し加算して、相関結果からオフセットしたサイドローブの相関から、最終結果を導き出し、（４）最終結果を用いてフレーム同期をとる、ステップを備える、最適パイロットシンボルを用いたフレーム同期の方法を、全体的又は部分的に用いることにより到達され得る。
【００６０】
相関の最終結果が、相関期間の特別な位置を除く”０”値を有するサイドローブを示すように、パイロットシンボルは各パイロットシーケンスに結合される。特別な位置は、相関期間（ｘ）の開始地点（ｘ＝０）、及び、”ｘ”地点／整数である。パイロットシンボルは、フォーム（ａ、／ａ）のパイロットシンボルの結合である。パイロットシーケンスは、開始地点、及び、相関期間の開始地点の半分の地点を除いた位置で、最小の相関結果を提供する。相関関係で用いられるパイロットシンボルを除くパイロットシンボルは、コヒーレントの検出を予測するチャネルに用いられる。フレームにおける各スロットのパイロットシンボルは送信され、パイロットシンボルは、通信リンク上の各専用チャネルにおける専用物理制御チャネルのパイロットフィールドに含まれている。上り通信リンク上の互いに異なるパイロットシーケンスは、専用物理制御チャネルのパイロットフィールドに含まれているビット値に基づいた相関に用いられる。下り通信リンク上の互いに異なるパイロットシーケンスは、専用物理制御チャネルのシンボルレートに基づいた相関に用いられる。
【００６１】
本発明は、また、（１）通信リンクにおける各物理チャネルを介して、フレーム中の各スロットのパイロットシンボルを受信し、（２）各パイロットシンボルの受信した位置と、対応するパイロットシーケンスを相関させ、（３）１より多い相関結果を結合し加算して、最小値を有する相関結果、及び、異なる極性の最大値を有する相関期間の開始地点と中間地点との相関結果からのサイドローブによる相関関係から、最終結果を導き出し、（４）最終結果を用いてフレーム同期をとる、ステップを備える、最適パイロットシンボルを用いたフレーム同期の方法を、全体的又は部分的に用いることにより到達され得る。
【００６２】
本発明は、基地局と移動局との間の通信チャネルでサイドローブを除去する方法であって、
Ｌビットの第１シーケンスとＬビットの第２シーケンスを有する制御信号と、データ信号とを、通信チャネル内に生成する段階と、
第１所定値の集合と所定の第１関係を有する第１シーケンスに基づいて、第１所定値の集合を生成する段階と、
第２所定値の集合と所定の第２関係を有する第２シーケンスに基づいて、第２所定値の集合を生成する段階と、
前記第１及び第２所定値の集合を結合する段階とを備える方法を、全体的又は部分的に用いることにより到達され得る。
【００６３】
本発明は、通信チャネルを設定する方法であって、
複数個のフレームを生成する段階と、
各フレーム毎にＬ個のスロットを生成する段階であって、各スロットは、長さＬのシーケンスパイロットビットを有するＮ個のワードを形成するＮビットのパイロット信号とそれに対応するビットを有する段階とを備え、
１乃至Ｌスロットの２つの隣接するワード間と同じである２つのパイロットビットのビット値の数、引く、１乃至Ｌの２つの隣接するワード間と異なる２つのパイロットビットのビット値の数は、ゼロ又はゼロに近い所定の数である、方法を、全体又は部分的に用いることにより到達され得る。
【００６４】
本発明は、フレーム同期及びチャネル推定の少なくとも一方を有する通信チャネルの設定方法であって、
複数個のフレームを生成する段階と、
各フレーム毎にＬ個のスロットを生成する段階であって、各スロットは、長さＬのシーケンスパイロットビットを有するＮ個のワードを形成するＮビットのパイロット信号及びそれに対応するビットを有する段階とを備え、
０の時間シフトで同期化のために用いられる二つの隣接シーケンスの間に相互相関値が０である特性、及び、全ての時間シフトでフレーム同期化のために用いられる一つのワードと、チャネル推定のために用いられる一つのワードとの間に相互相関値が０である特性の少なくとも一方の特性を有する方法を、全体又は部分的に用いることにより到達され得る。
【００６５】
本発明は、
複数個のフレーム同期ワードを生成し、各フレーム同期ワードは複数のビットを有している段階と、
１組の所定値のセットを生成するために、フレーム同期ワードの１組に自己相関関数を実行する段階と、
２つのピーク値が等しい大きさで反対の極性にゼロ時間シフトと中間時間シフトとで到達するように、前記所定値のセットの１組を結合する段階と、
を備えているフレーム同期のサイドローブを除去する方法を、全体的又は部分的に用いることにより到達され得る。
【００６６】
本発明は、Ｌ個のスロットを有するフレーム内で所定パターンのパイロット信号を生成する方法であって、
各スロットに対してＮ個のパイロットビットを生成する段階と、
前記段階に基づいたＬビットのＮ個のワードを形成する段階とを備え、
所定数のワードは、フレーム同期ワードとして用いられ、
各フレーム同期ワードは、ｂ１−ｂ０がゼロ又はゼロに近い値に等しくなるような、ビット値が０である第１所定の数ｂ０、及び、ビット値が１である第２所定の数ｂ１を有する方法を、全体的又は部分的に用いることにより到達され得る。
【００６７】
本発明は、ユーザー装置と基地局との間の通信リンクであって、
複数の層を備え、
前記複数の層のうちの１つは、ユーザー装置と基地局との間に通信を設定するための物理層であり、
物理層は少なくとも１つのデータ及び制御情報を有しており、
制御情報の１つは、ＬビットのＮ個のワードを形成するようなＬ個のスロットのために送信されるＮビットのパイロットフィールドであり、
フレーム同期に用いられる隣接する２つのワードの間の相互相関は、ゼロ時間シフトで、ゼロであり、又は、フレーム同期に用いられるワードとチャネル推定に用いられるワードとの間の相互相関は、すべての時間シフトで、ゼロである、通信リンクを全体的又は部分的に用いることにより到達され得る。
【００６８】
本発明は、
複数のスロットからのパイロットビットにより形成されるワードをラッチングする複数のラッチ回路と、
前記ラッチ回路に結合され、前記ワードを所定値のセットに相関させる複数の相関器と、
各相関器からのセットを結合して、同じ大きさで極性が反対である最大ピーク値が０時間シフト及び中間時間シフトで形成されるようにする結合器とを備える、ユーザー装置と基地局のうち少なくとも一つのために構成される相関回路を、全体的又は部分的に用いることにより到達され得る。
【００６９】
本発明は、
少なくとも１つのデータ及び制御情報を送信する手段と、
少なくとも１つのデータ及び制御情報を受信する手段とを備える通信装置であって、
前記受信手段は、
複数のスロットからのパイロットビットによって形成されるワードをラッチングする複数のラッチ回路と、
前記ラッチ回路に結合され、前記ワードを所定値のセットに相関させる複数の相関器と、
複数のバッファであって、それぞれが所定値のセットを格納するために対応する相関器に結合された、バッファと、
各バッファからのセットを結合して、同じ大きさであり極性が反対である最大ピーク値が０時間シフト及び中間時間シフトで形成されるようにする、結合器とを備える、通信装置を、全体的又は部分的に用いることにより到達され得る。
【００７０】
本発明は、
基地局と移動局との間の通信チャネルでサイドローブを除去する方法であって、
（ａ）Ｌビットの第１シーケンス及びＬビットの第２シーケンスを有する制御信号と、データ信号とを、前記通信チャネル内で生成する段階と、
（ｂ）第１所定値の集合と所定の第１関係を有する第１シーケンスに基づいて、第１所定値の集合を生成する段階と、
（ｃ）第２所定値の集合と所定の第２関係を有する第２シーケンスに基づいて、第２所定値の集合を生成する段階と、
（ｄ）前記第１及び第２所定値の集合を結合する段階と、
を備える方法を、全体的又は部分的に用いることにより達成され得る。
【００７１】
この場合、前記生成段階（ｂ）及び（ｃ）は、それぞれ、前記第１及び第２所定値の集合を生成するために、前記第１及び第２シーケンスの自己相関関数を実行するようにしてもよい。
【００７２】
Ｌビットの前記第１及び第２シーケンスは、それぞれ、０の値を有するビット値の第１所定の数（ｂ０）、及び、１の値を有するビット値の第２所定の数（ｂ１）を含み、
ｂ１−ｂ０は０又は０に近い値である、
ようにしてもよい。
【００７３】
前記０に近い値は、＋１又は−１であるようにしてもよい。
【００７４】
前記通信チャネルはＬ個のスロットを有するフレームを含み、
前記段階（ｄ）は、スロット単位フレーム同期、チャネル推定、二重検査フレーム同期化及び単一検査フレーム同期化のうち少なくとも一つを許容する、ようにしてもよい。
【００７５】
前記通信チャネルは複数個のフレームを含み、
それぞれのフレームはＬ個のスロットを有し、
それぞれのスロットはＮ個のパイロットビットを有し、
このため、一つのフレームにはＬビットを有するＮ個のシーケンスがあり、前記第１及び第２シーケンスはＮ個のシーケンスであるようにしてもよい。
【００７６】
フレーム同期化のために用いられる前記シーケンスは、ｉシーケンスの集合の要素であるようにしてもよい。
【００７７】
ｉは８、Ｌは１５、そして、Ｎは２ないし３２であり、各フレームは１０ｍｓの周期を有し、各スロットは約０．６６７ｍｓの周期を有するようにしてもよい。
【００７８】
本発明は、
基地局と移動局との間の通信チャネルでサイドローブを除去する方法であって、
（ａ）Ｌビットの第１シーケンス及びＬビットの第２シーケンスを有する制御信号と、データ信号とを、前記通信チャネル内で生成する段階と、
（ｂ）第１及び第２自己相関結果値を生成するために、前記第１及び第２シーケンスを自己相関させる段階と、
（ｃ）第１及び第２相互相関結果値を生成するために、前記第１及び第２シーケンスを相互相関させる段階と、
（ｄ）前記第１及び第２自己相関結果値と、前記第１及び第２相互相関結果値とを、結合する段階と、
を備える方法を、全体的又は部分的に用いることにより達成され得る。
【００７９】
この場合、前記段階（ｄ）の結果は、０の時間シフト及び中間時間シフトで最大のピークを有し、前記最大ピークは互いに同じ大きさであり且つ極性が反対であるようにしてもよい。
【００８０】
本発明は、
フレーム同期及びチャネル推定の少なくとも一方を有する通信チャネルの設定方法であって、
複数個のフレームを生成する段階と、
各フレーム毎にＬ個のスロットを生成する段階であって、各スロットはＮビットのパイロット信号とそれに対応するビットを有しており、各スロットに、Ｎ個のワードを形成するよう、長さＬのシーケンスパイロットビットを形成する段階と、
を備え、前記ワードが
０の時間シフトで、同期化のために用いられる二つの隣接シーケンスの間における相互相関値が、０である特性と、
全ての時間シフトで、フレーム同期化のために用いられる一つのワードと、チャネル推定のために用いられる一つのワードとの間における相互相関値が、０である特性と、
のうちの少なくとも１つの特性を有する方法を、全体的又は部分的に用いることにより達成され得る。
【００８１】
本発明は、
通信チャネルを設定する方法であって、
複数個のフレームを生成する段階と、
各フレーム毎に１５個のスロットを生成する段階であって、各スロットは、Ｎビットのパイロット信号と、それに対応するビットとを有しており、各スロットに、Ｎ個のワードを形成するよう、長さ１５のシーケンスパイロットビットを形成する段階と、
を備え、
１ないし１５スロットの二つの隣接ワードの間で同一の二つのパイロットビットのビット値の数から、１ないし１５スロットの二つの隣接ワードの間で相違する二つのパイロットビットのビット値の数をひくと、＋１または−１になる、
方法を、全体的又は部分的に用いることにより達成され得る。
【００８２】
本発明は、
１５個のスロットを有するフレーム内で所定パターンのパイロット信号を生成する方法であって、
それぞれのスロットに対してＮ個のパイロットビットを生成する段階と、
前記段階に基づいたＮ個の１５ビットのワードを形成する段階であって、Ｎ個のワードそれぞれが、ｂ１−ｂ０が＋１又は−１になるように、ビット値が０である第１所定の数ｂ０と、ビット値が１である第２所定の数ｂ１とを有する、段階と、
を備える方法を、全体的又は部分的に用いることにより達成され得る。
【００８３】
この場合、上りリンクのスロットそれぞれに対する前記生成パイロットビットは５であり、第１数のパイロットビットストリームは”１０００１１１１０１０１１００”であり、第２数のパイロットビットストリームは”１０１００１１０１１１００００”であり、第３数のパイロットビットストリームは”１１１１１１１１１１１１１１１”であり、第４数のパイロットビットストリームは”１１０００１００１１０１０１１”であり、第５数のパイロットビットストリームは”００１０１００００１１１０１１”であり、ここで、前記パイロットビットストリームのそれぞれの長さはフレーム内のスロットの数に対応する。
【００８４】
上りリンクのスロットそれぞれに対する前記生成パイロットビットは６であり、第１数のパイロットビットストリームは”１１１１１１１１１１１１１１１”であり、第２数のパイロットビットストリームは”１０００１１１１０１０１１００”であり、第３数のパイロットビットストロームは”１０１００１１０１１１００００”であり、第４数のパイロットビットストリームは”１１１１１１１１１１１１１１１”であり、第５数のパイロットビットストリームは”１１０００１００１１０１０１１”であり、第６数のパイロットビットストリームは”００１０１００００１１１０１１”であり、ここで、前記パイロットビットストリームのそれぞれの長さはフレーム内のスロットの数に対応する。
【００８５】
上りリンクのスロットそれぞれに対する前記生成パイロットビットは７であり、第１数のパイロットビットストリームは”１１１１１１１１１１１１１１１”であり、第２数のパイロットビットストリームは”１０００１１１１０１０１１００”であり、第３数のパイロットビットストロームは”１０１００１１０１１１００００”であり、第４数のパイロットビットストリームは”１１１１１１１１１１１１１１１”であり、第５数のパイロットビットストリームは”１１０００１００１１０１０１１”であり、第６数のパイロットビットストリームは”００１０１００００１１１０１１”であり、第７数のパイロットストリームは”１１１１１１１１１１１１１１１”であり、ここで、前記パイロットビットストリームのそれぞれの長さはフレーム内のスロットの数に対応する。
【００８６】
上りリンクのスロットそれぞれに対する前記生成パイロットビットは８であり、第１数のパイロットビットストリームは”１１１１１１１１１１１１１１１”であり、第２数のパイロットビットストリームは”１０００１１１１０１０１１００”であり、第３数のパイロットビットストロームは”１１１１１１１１１１１１１１１”であり、第４数のパイロットビットストリームは”１０１００１１０１１１００００”であり、第５数のパイロットビットストリームは”１１１１１１１１１１１１１１１”であり、第６数のパイロットビットストリームは”１１０００１００１１０１０１１”であり、第７数のパイロットストリームは”１１１１１１１１１１１１１１１”であり、第８数のパイロットビットストリームは００１０１００００１１１０１１であり、ここで、前記パイロットビットストリームのそれぞれの長さはフレーム内のスロットの数に対応する。
【００８７】
下りリンクのスロットそれぞれに対する前記生成パイロットビットは２であり、第１数のパイロットビットストリームは”１０００１１１１０１０１１００”であり、前記第１数の他のパイロットビットストリームは”１０１００１１０１１１００００”であり、ここで、前記パイロットビットストリームのそれぞれの長さはフレーム内のスロットの数に対応する。
【００８８】
下りリンクのスロットそれぞれに対する前記生成パイロットビットは４であり、第１数のパイロットビットストリームは”１１１１１１１１１１１１１１１”であり、前記第１数の他のパイロットビットストリームは”１１１１１１１１１１１１１１１”であり、第２数の他のパイロットビットストリームは”１０１００１１０１１１０１１０”であり、第２数のまた他のパイロットビットストリームは”１０１００１１０１１１００００”であり、ここで、前記パイロットビットストリームのそれぞれの長さはフレーム内のスロットの数に対応する。
【００８９】
下りリンクのスロットそれぞれに対する前記生成パイロットビットは８であり、第１数のパイロットビットストリームは”１１１１１１１１１１１１１１１”であり、前記第１数の他のパイロットビットストリームは”１１１１１１１１１１１１１１１”であり、第２数の他のパイロットビットストリームは”１０１００１１０１１１００００”であり、第３数の他のパイロットビットストリームは”１１１１１１１１１１１１１１１”であり、第３数のまた他のパイロットビットストリームは”１１１１１１１１１１１１１１１”であり、第４数の他のパイロットビットストリームは”１１０００１００１１０１０１１”であり、第４数のまた他のパイロットビットストリームは”００１０１００００１１１０１１”であり、ここで、前記パイロットビットストリームのそれぞれの長さはフレーム内のスロットの数に対応する。
【００９０】
下りリンクのスロットそれぞれに対する前記生成パイロットビットは８であり、第１数のパイロットビットストリームは”１１１１１１１１１１１１１１１”であり、前記第１数の他のパイロットビットストリームは”１１１１１１１１１１１１１１１”であり、第２数のパイロットビットストリームは”１０００１１１１０１０１１００”であり、第２数の他のパイロットビットストリームは”１０１００１１０１１１００００”であり、第３数のパイロットビットストリームは”１１１１１１１１１１１１１１１”であり、第３数の他のパイロットビットストリームは”１１１１１１１１１１１１１１１”であり、第４数のパイロットビットストリームは”１１０００１００１１０１０１１”であり、第４数の他のパイロットビットストリームは”００１０１００００１１１０１１”であり、第５数のパイロットビットストリームは”１１１１１１１１１１１１１１１”であり、第６数のパイロットビットストリームは”１１０１１１００００１０１００”であり、第７数のパイロットビットストリームは”１１１１１１１１１１１１１１１”であり、第８数のパイロットビットストリームは”１００１１０１０１１１１０００”であり、第８数の他のパイロットビットストリームは”００００１１１０１１００１０１”であり、ここで、前記パイロットビットストリームのそれぞれの長さはフレーム内のスロットの数に対応する。
【００９１】
本発明は、
ユーザー装置と基地局との間の通信リンクであって、
複数の層を備え、
前記複数の層のうちの一つは、前記ユーザー装置と前記基地局との間に通信を設定するための物理層であり、
前記物理層は少なくとも１つのデータ情報及び制御情報を有し、
前記制御情報のうち一つは、Ｎ個の１５ビットのワードが形成されるように、１５個のスロットのために伝送された、Ｎビットのパイロットフィールドであり、
前記Ｎ個のワードの一対は相互相関し、一対は自己相関する、
通信リンクを、全体的又は部分的に用いることにより達成され得る。
【００９２】
本発明は、
ユーザー装置と基地局のうち少なくとも一つのために構成される相関回路であって、
複数のスロットからのパイロットビットにより形成されるワードをラッチングする、複数のラッチ回路と、
対応する前記ラッチ回路に結合され、前記ワードを所定値のセットに相関させる、複数の相関器と、
前記各相関器からのセットを結合して、同じ大きさで極性が反対である最大ピーク値が、０時間シフト及び中間時間シフトで形成されるようにする、結合器と、
を備える相関回路を、全体的又は部分的に用いることにより達成され得る。
【００９３】
この場合、相関回路は、前記所定値のセットを格納するために、対応する前記相関器に結合されている複数のバッファを、さらに備えるようにしてもよい。
【００９４】
本発明の追加の利点、目的、特徴は、以下に記述され、当業者が以下の試験に基づいて明白になり、発明の実施から修得してもよい。発明の目的と利点は、添付したクレームの指摘により特に実現され達成される。
【００９５】
【発明の実施の形態】
本発明の好ましい実施の形態による新フレーム同期ワードは、ゼロシフト（ｚｅｒｏ　ｓｈｉｆｔ）及び中間シフト（ｍｉｄｄｌｅ　ｓｈｉｆｔ）で極性が反対であり大きさが同一である二つのピーク値を有する自己相関関数の最小相関結果値を有する。前記フレーム同期ワードはフレーム同期確認に適し、これは前記ワードの自己相関関数を簡単に加えることにより、ゼロシフト及び中間シフトで大きさが同じく、反対の極性を有する二重の最大相関値を得ることができるからである。このような特性はフレーム同期の時期を二重検査して、同期検索の時間を減らすことに用いられる。
【００９６】
ユーザー装置は、初期の共通制御物理チャネル同期時期及びフレームオフセットグループ、ネットワークから通報されたスロットオフセットグループに基づいて、下りリンクチップ同期及びフレーム同期を設定する。前記フレーム同期はフレーム同期ワードを用いて確認できる。前記ネットワークは、フレームオフセットグループ及びスロットオフセットグループに基づいて上りリンクチャネルチップ同期及びフレーム同期を設定する。前記フレーム同期もまたフレーム同期ワードを用いて確認できる。
【００９７】
長いスクランブリングコードが上りリンクチャネル又は下りリンクチャネルに用いられるとき、フレーム同期ワードを用いてフレーム同期確認に失敗することは常にフレーム及びチップ同期の損失を意味し、これは長いスクランブリングコードの周期が毎フレームごとに繰り替えられるからである。
【００９８】
反面、上りリンク専用制御物理チャネル（ＤＰＣＣＨ）上の短いスクランブリングコードの場合、フレーム同期確認の失敗が常にチップ同期の損失を意味するわけではなく、これは短いスクランブリングコードの長さが２５６であり、その長さは拡散因子が２５６である上りリンク専用制御物理チャネルの一つのシンボル周期に当たるからである。従って、前記パイロットパターンのフレーム同期ワードは同期の状態を推定でき、その推定した情報は層２のＲＲＣ接続設定及び解除過程に用いられることができる。
【００９９】
図１２Ａは本発明の好ましい実施の形態によるフレーム同期ワードＣ１ないしＣｉ−ｔｈを示す表である。前記フレーム同期ワードそれぞれは、Ｌ個のスロットそれぞれからのＮｐ　ｉ　ｌ　ｏ　ｔビット（Ｎｐ　ｉ　ｌ　ｏ　ｔ＞０）の所定のビット位置からのパイロットビットのＬ個のシーケンス（Ｌ＞１）からなる。下記の第１実施の形態で同期ワードの数ｉは８であり、スロットの数Ｌは１６であり、スロットそれぞれのパイロットの数Ｎｐ　ｉ　ｌ　ｏ　ｔは４と１６との間である。しかし、本発明は他の数のｉ、Ｌ及びＮｐ　ｉ　ｌ　ｏ　ｔにも適用可能である。
【０１００】
好ましい実施の形態の同期ワードＣ１−Ｃ８は、同期ワードの自己相関関数によって次の４種類（好ましい相関シーケンス対（ＥないしＨ、ＰＣＳＰと称する））に分けられる。
Ｅ＝｛Ｃ１，Ｃ５｝
Ｆ＝｛Ｃ２，Ｃ６｝
Ｇ＝｛Ｃ３，Ｃ７｝
Ｈ＝｛Ｃ４，Ｃ８｝
【０１０１】
図１２Ｂは、０から１５までの時間シフトのうち一つの相関期間内でＥ、Ｆ、Ｇ及びＨの４種類に分類されたフレーム同期ワードそれぞれの１ないし１６パイロットビットシーケンスの自己相関関数を示す表である。図１２Ａ及び１２Ｂに示すように、それぞれの種類は二つのシーケンスを含み、同一種類のシーケンスは同一自己相関関数を有する。図１２から分かるように、同期ワードは大きさが同じであり、１のシフト及び中間シフトで反対極性の二つのピーク値を有するときに自己相関の最小位相はずれ値を有する。さらに、前記自己相関関数の結果値Ｒ１及びＲ２は互いに補数である。自己相関関数それぞれの関係は次の式（１）ないし（４）のように表現できる。
ＲＥ（τ）＝ＲＦ（τ）＝ＲＧ（τ）＝ＲＨ（τ）、τは偶数　（１）
ＲＥ（τ）＝−ＲＦ（τ）、τは奇数　　　　　（２）
ＲＧ（τ）＝−ＲＨ（τ）、τは奇数　　　　　（３）
Ｒｉ（τ）＋Ｒｉ（τ＋８）＝０、ｉ∈｛Ｅ，Ｆ，Ｇ，Ｈ｝、全てのτに対して（４）
【０１０２】
式（１）、（２）及び（３）から次の式が得られる。
ＲＥ（τ）＋ＲＦ（τ）＝ＲＧ（τ）＋ＲＨ（τ）、全てのτに対して（５）
【０１０３】
二つの自己相関関数ＲＥ（τ）及びＲＦ（τ）を加えたり、又はＲＧ（τ）及びＲＨ（τ）を加えると、図１３Ａに示すように、０及び中間シフトで大きさが同じであり、極性が反対である二つのピーク値と、０及び中間シフト以外の全ての０値を有する関数となり、ここで、前記二つのピーク値は２＊Ｌ又は−２Ｌである。　好ましい実施の形態で図１３Ａの二つのピーク値はＬが１６であるので、３２と−３２とになる。
【０１０４】
（ＲＥ（τ）＋ＲＧ（τ））、（ＲＥ（τ）＋ＲＨ（τ））、（ＲＦ（τ）＋ＲＧ（τ））、そして、（ＲＦ（τ）＋ＲＨ（τ））のような他の組合は図１３Ａと同一値を有しない。このように、誘導したフレーム同期ワードの特性を用いて、次のような特性が得られる。
【数１】
2004120729.tif 000003
【０１０５】
ここで、Ｒｉ（τ）はシーケンスＣｉの自己相関関数であり、１≦ｉ≦８である。
【０１０６】
四つの自己相関関数の合が図１３Ｂに示されており、前記合はその最大値が４＊Ｌ又は−４＊Ｌに二倍となることを除いては図１３Ａの値と同一である。（従って、好ましい実施の形態に対する最大値は６４及び−６４となる）。最大値が二倍となる理由は式（５）及び（６）によって（ＲＥ（τ）＋ＲＦ（τ）＋ＲＧ（τ）＋ＲＨ（τ））＝２（ＲＥ（τ）＋ＲＦ（τ））となるからである。このような特性によりフレーム同期時期を二重検査し、同期検索時間を減らせる。
【０１０７】
（上りリンク専用物理制御チャネルに対する第１実施の形態）
図１４Ａ及び図１４ＢはＮｐ　ｉ　ｌ　ｏ　ｔ　が５、６、７及び８である上りリンク専用物理制御チャネルに対する本発明の好ましい実施の形態によるパイロットパターンを示す表である。図１４Ａ及び１４Ｂの陰影パターンはフレーム同期に用いられ（また、チャネル推定にも用いられる）、フレーム同期ワードではないパイロットビット（即ち、チャネル推定）は１の値を有する。図１４Ｃは図１２Ａの８つの同期ワードＣ１ないしＣ８と図１４Ａ及び１４Ｂの陰影パイロットビットパターンとの間のマッピング関係を示している。ここで、フレーム同期ワードＣ１、Ｃ２、Ｃ３ないしＣ４はそれぞれ集合｛Ｅ、Ｆ、Ｇ、及びＨ｝の要素である。図１３Ａ及び１３Ｂの値は式（６）でそれそれα＝１及び２である際に得られ、これにより、Ｎｐ　ｉ　ｌ　ｏ　ｔ５、６、７及び８である上りリンク専用物理制御チャネル上でのフレーム同期の時期を二重検査でき、同期時間を減らすことができる。
【０１０８】
例えば、ビット＃１におけるフレーム同期ワード（Ｃ１）、ビット＃２におけるフレーム同期ワード（Ｃ２）、ビット＃４におけるフレーム同期ワード（Ｃ３）及びビット＃５におけるフレーム同期ワード（Ｃ４）は、Ｎｐ　ｉ　ｌ　ｏ　ｔ　が６のときフレーム同期に対する自己相関過程に用いられる。Ｎｐ　ｉ　ｌ　ｏ　ｔ　が８である場合は、ビット＃１におけるフレーム同期ワード（Ｃ１）、ビット＃３におけるフレーム同期ワード（Ｃ２）、ビット＃５におけるフレーム同期ワード（Ｃ３）及びビット＃７におけるフレーム同期ワード（Ｃ４）がフレーム同期に対する自己相関過程に用いられる。それぞれのスロットにてＮｐ　ｉ　ｌ　ｏ　ｔ　が５、６、７及び８である場合、総四つのフレーム同期ワードが用いられる。結果的に、一つの無線フレームが１６個のタイムスロットを有するので、フレーム同期に対して用いられるパイロットビットの数は好ましい実施の形態ではフレーム当たりただ６４個である。ここから予測可能であるように、フレーム同期に対して用いられるワードの数はＮｐ　ｉ　ｌ　ｏ　ｔ　の変化によって変わることができる。
【０１０９】
例えば、Ｎｐ　ｉ　ｌ　ｏ　ｔ　が１である場合、好ましい実施の形態の新たな特徴により、Ｃ１ないしＣ８のうち一つのフレーム同期ワードがフレーム同期及びチャネル推定に用いられる。
【０１１０】
図１４Ｄはフレーム同期ワードＣ１ないしＣ４が用いられる際、本発明の好ましい実施の形態による上りリンク専用物理制御チャネルのパイロットビットに基づいたフレーム同期のための相関回路を示す。前記フレーム同期ワードＣ１ないしＣ４はそれぞれラッチ回路３１ないし３４にラッチされる。相関器４１ないし４４はフレーム同期ワードＣ１ないしＣ４それぞれに対して相関関数Ｒ（ｘ）を行い、バッファ５１ないし５３に格納される相関結果値Ａ１ないしＡ４を生成するが、ここでＬ−１に対してｘ＝０である。
【０１１１】
図１４ＥはＡ１ないしＡ４地点での相関結果値及び、Ｂ地点での相関結果値の和を示す表である。図示のように、前記結果値は０の時間シフトＲ（０）及び中間時間シフトＲ（８）で極性が反対の最大値を有する。さらに、０と中間時間のシフトではない他時間シフトにおけるその他のサイドローブは、Ｂ地点での合算以後に０値を有する。前記サイドローブは削除または最小化され、Ｂ地点での結果値は図１３Ｂの最適結果値に当たる。
【０１１２】
図１４Ｆは本発明の好ましい実施の形態によるフレーム同期ワードＣ１ないしＣ４の上りリンクパイロットパターンに基づいたＡ１ないしＡ４地点での相関結果値を合算した多様な結果値を示す表である。（Ａ１＋Ａ２）、（Ａ３＋Ａ４）、（Ａ１＋Ａ４）及び（Ａ２＋Ａ３）のような地点での自己相関結果値の個別合算は、図１３Ａに示す最適結果値と同じ特徴を現す。
【０１１３】
図１４Ｇは他の実施の形態の上りリンク専用物理制御チャネルのパイロットビットシーケンスに基づいたフレーム同期のための相関回路を示す。前記要素は図１４Ｄの相関回路と同一である。（Ｃ１及びＣ２）、（Ｃ２及びＣ３）、（Ｃ３及びＣ４）または（Ｃ４及びＣ１）のフレーム同期ワードは相関及び合算され、Ｄ地点で結果値を提供する。図１４Ｇに示すＤ地点での合算結果値は、極性が反対の二つの最大値がそれぞれ４＊Ｌ（６４）及び−４＊Ｌ（−６４）でなく、図１４Ｆの結果値及び図１３Ａの最適結果値に当たる２＊Ｌ（３２）及び−２＊Ｌ（−３２）であること以外は、図１４Ｄの相関回路と類似している。
【０１１４】
図１４Ｈはパイロットフィールドのフレーム同期ワードを含む、受信した拡散信号を回復するための基地局またはユーザー装置の受信部回路６０を示す。
【０１１５】
受信した拡散信号を集束回路６１によって集めた後、前記チャネル推定器及びフレーム同期装置６２はパイロットフィールドに基づきチャネル推定及びフレーム同期を行う。レーキ結合器６３はチャネル推定器及びフレーム同期装置の結果値を用い、レーキ結合の後、データは伝送側の反対順序にディインターリービング回路６４によってディインターリーブされる。それから、前記データはデコーダ６５により復号化された後回復される。
【０１１６】
本発明の利点は、前記ＴＳＳ１．１１ｖ１．１．０明細書に勧告されたフレーム同期ワード及び、例えばＮｐ　ｉ　ｌ　ｏ　ｔ＝６のフレーム同期ワードと比較すると分かりやすい。式（１）ないし（６）と同じ原理及び図１４Ｄの相関回路を適用すると、技術明細書で指摘されたパイロットパターンに対して図１４Ｉに提示した結果値を得ることができる。時間シフトグラフ上でＢ地点での合算結果がマッピングされると、サイドローブの問題が図１４Ｊに示すように直ぐに現れる。言い換えると、０及び中間時間シフトでは反対極性の最大値がなく、０及び中間時間シフト以外の時間シフトではサイドローブが存在する。
【０１１７】
従来技術で説明したように、良好な相互相関及び自己相関を得ることは難しい。ここで、相互相関は異なる時間シフトに異なるワードを用いることであり、自己相関は時間シフトされたバージョンの同一シーケンスである。本発明の良好な相互相関及び自己相関はフレーム同期ワードの独特な性質に基づく。
【０１１８】
好ましい実施の形態によるフレーム同期ワードの独特な特性は図１２、１４Ａ及び１４Ｂの観点から分かりやすいようになっている。図１２のフレーム同期ワードＣ１ないしＣ８に示すように、それぞれのフレーム同期ワードは実質的に１と０の同一数を有する。即ち、１値を有するフレーム同期ワードのパイロットビット数（ｂ１）から０値を有するフレーム同期ワードのパイロットビット数（ｂ０）をひくと、０または０に近い値となる。好ましい実施の形態でスロット数が偶数であれば、単一フレーム同期ワード内に１及び０値を有するパイロットビットの数が同一であるため、ｂ１−ｂ０は０となる。ここで予測可能のように、単一フレーム同期ワードのパイロットビットの数が偶数であれば、ｂ１−ｂ０は±１、つまり、０に近い値となる。
【０１１９】
フレーム同期ワードの第２特徴は、一対の隣接フレーム同期ワード（Ｎｐ　ｉ　ｌ　ｏ　ｔが５、６、７及び８であるとき、図１４Ａ及び１４Ｂの陰影部及び非陰影部）の間、または一対の隣接フレーム同期ワード及びチャネル推定ワード（Ｎｐ　ｉ　ｌ　ｏ　ｔが５、６、７及び０である際、図１４Ａ及び１４Ｂの陰影部及び非陰影部）の間を検討すると分かりやすい。一般に、一対の隣接ワードの間（つまり、二つの隣接フレーム同期ワードまたは隣接したフレーム同期ワードとチャネル推定ワードとの間）で同一のビット値（０，０及び１，１）の数（ｂ３）から隣接ワードの間（つまり、二つの隣接フレーム同期ワードまたは隣接したフレーム同期ワードとチャネル推定ワードとの間）で異なるビット値の数（ｂ４）をひくと、０または０に近い所定の数となる。
【０１２０】
好ましい実施の形態において、二つの隣接ワードの間で同一のパイロットビット値の数（ｂ３）は、二つの隣接ワードの間で異なるパイロットビット値の数（ｂ４）と同一であり、ｂ３−ｂ４＝０である。好ましい実施の形態において、図１４Ａに示すように、Ｎｐ　ｉ　ｌ　ｏ　ｔ　が５であるとき、ビット＃０での同期ワードＣ１とビット＃１での同期ワードＣ２との間における同一のパイロットビット値（０，０及び１，１）の数と、スロット＃１ないし＃１６までの異なるパイロットビット値（１，０及び０，１）の数は同一である。同様に、ビット＃１での同期ワードＣ２及びビット＃２でのチャネル推定ワードの間における同一のパイロットビット値（０，０及び１，１）の数と、スロット＃１ないし＃１６までの異なるパイロットビット値（１，０及び０，１）の数は同一である。同じ法則がビット＃２とビット＃３の二つの隣接ワードの間及び、ビット＃３と＃４の二つの隣接ワードの間にも適用される。前記法則はＮｐ　ｉ　ｌ　ｏ　ｔ　が６、７及び８である隣接ワードにもまた適用され得る。以上で予測可能であるように、奇数個のスロットが用いられるとｂ３−ｂ４の結果値は±１、つまり０に近い数となる。
【０１２１】
前記特徴の結果として、フレーム同期のために用いられる二つの隣接ワード間の相互相関は０時間シフトで０（直交）となる。更に、フレーム同期のために用いられるワードとチャネル推定のために用いられるシーケンスとの間の相互相関は全ての時間シフトに対して０（直交）である。即ち、Ｌビットを有するＮｐ　ｉ　ｌ　ｏ　ｔ　個のワード内でフレーム同期のために用いられるワードは偶数であるが、全てのワードはチャネル推定を行い、ここで、フレーム同期のために用いられた隣接ワードの間は実質的に相互相関が０である。また、フレーム同期のために用いられるワードはチャネル推定のためのワードとは全ての時間シフトで実質的に０の相互相関を有する。
【０１２２】
更に、Ｎｐ　ｉ　ｌ　ｏ　ｔ　個のワードそれぞれは所定の個数の自己相関関数に対応するため、フレーム同期のために用いられるワードに対応する一連の自己相関結果値のうち一対の値が結合されると、同じ大きさで極性が反対となる二つのピーク値が０及び中間時間シフトで求められる反面、０及び中間時間シフト以外のシフトでサイドローブは実質的に除去される。本発明による自己相関は、一般に一つのワード及び時間シフトされた複製物（０時間シフトで複製物を含む）の間の相関であり、ここで、相関とは二つのワードの間の同一ビット値の数から前記二つのワードの間の異なるビット値の数をひいた数である。また、図１２Ｂに示すように、Ｒ１及びＲ２は互いに補数である。
【０１２３】
（下りリンクＤＰＣＨに対する第１実施の形態）
図１５ＡはＮｐ　ｉ　ｌ　ｏ　ｔ　＝４、８、そして１６であるとき下りリンクＤＰＣＨに対するパイロットシンボルパターンを示すものである。ここで、二つのパイロットビットは一つのシンボルを形成する。これは右のビットがＩチャネル支流として用いられ、左のビットがＱチャネル支流として用いられるからである。
【０１２４】
好ましい実施の形態では、Ｎｐ　ｉ　ｌ　ｏ　ｔ＝４のパイロットパターンは８ｋｓｐｓ（ｋｉｌｏ　ｓｙｍｂｏｌｓ　ｐｅｒ　ｓｅｃｏｎｄ：１秒当たり１０３シンボル）に対して用いられ、Ｎｐ　ｉ　ｌ　ｏ　ｔ　＝８のパイロットパターンは１６、３２、６４、そして、１２６ｋｓｐｓに対して用いられ、Ｎｐ　ｉ　ｌ　ｏ　ｔ　＝１６のパイロットパターンは２５６、５１２、そして、１０２４ｋｓｐｓｄｐに対して用いられる。
【０１２５】
図１５Ａの陰影部のシンボルはフレーム同期化のために用いられ、これらのフレーム同期ワードを除いたパイロットシンボル、つまり、チャネル推定に用いられるチャネル推定ワードは”１１”である。図１５Ａの結果は下りリンクＤＰＣＨに対する式（６）において、Ｎｐ　ｉ　ｌ　ｏ　ｔ　＝４に対してα＝１、Ｎｐ　ｉ　ｌ　ｏ　ｔ　＝８に対してα＝２、そして、、Ｎｐ　ｉ　ｌ　ｏ　ｔ　＝１６に対してα＝４が適用されることにより得られる。
【０１２６】
図１５Ｂは図１２Ａの８つの同期ワードと図１５Ａに示す陰影のパイロットシンボルパターン間のマッピング関係を示す。
【０１２７】
例えば、Ｎｐ　ｉ　ｌ　ｏ　ｔ　＝４の好ましい実施の形態において、シンボル＃１はＣ１（Ｉチャネル支流Ｉ−ＣＨ、つまり、スロット＃１からスロット＃１６までのビット列で右のシーケンス）及びＣ２（Ｑチャネル支流Ｑ−ＣＨ、つまり、スロット＃１からスロット＃１６までのビット列で右のシーケンス）の二つのフレーム同期ワードを含む。Ｎｐ　ｉ　ｌ　ｏ　ｔ　＝８、そして、Ｎｐ　ｉ　ｌ　ｏ　ｔ　＝１６の場合の該シンボルに対するワード及びチャネルの対応は図１５Ｂに示されている。
【０１２８】
上りリンクＤＰＣＣＨでも同様に、フレーム同期タイミングのスロット単位の二重検査及びフレーム同期探索時間の減少は、式６に基づいたパイロットシンボルパターンの自己相関特性を用いることにより実現され得る。
【０１２９】
下りリンクＤＰＣＨのフレーム同期ワードが図１２Ａのフレーム同期ワードに基づいているので、上りリンクＤＰＣＣＨに対して前記説明した特性は下りリンクＤＰＣＨにも適用可能である。例えば、隣接したワード間（フレーム同期化シンボルに対するＩチャネル支流の同期化ワードとＱチャネル支流の同期化ワードとの間、または互いに隣接したＱチャネル支流のチャネル推定ワードとＩチャネル支流のフレーム同期化ワードとの間、または互いに隣接したＱチャネル支流のフレーム同期化ワードとＩチャネル支流のチャネル推定ワードとの間）の同一（０，０そして１，１）ｂ３のビッチ値から、隣接したワード間（フレーム同期化シンボルに対するＩチャネル支流のチャネル推定ワードとＩチャネル支流のフレーム同期化ワードとの間、または互いに隣接したＱチャネル支流のフレーム同期化ワードとＩチャネル支流のチャネル推定ワードとの間）の互いに異なる（１，０そして０，１）ｂ４のビッチ値をひくと、０または０に近い値となる。
【０１３０】
例えば、Ｎｐ　ｉ　ｌ　ｏ　ｔ　＝８である時、シンボル＃０とシンボル＃１との間に、隣接したビット対の数、つまり、”１１”そして、”００”のビット値を有するシンボル＃０であるＱチャネル支流の一つのビット及び、シンボル＃１であるＩチャネル支流の一つのビットの数はビット値”１０”そして、”０１”を有する隣接ビット対の数と同一である。即ち、ｂ３−ｂ４＝０である。前記したように、スロットの数（Ｌ）が奇数であれば、ｂ３−ｂ４の結果は０に近い所定の数、つまり±１となる。
【０１３１】
図１５ＣはＮｐ　ｉ　ｌ　ｏ　ｔ　＝８である時、本発明の好ましい実施の形態による下りリンクＤＰＣＣＨのパイロットビットに基づいたフレーム同期のための相関器回路を示すものである。その動作及び構成要素は、Ｉチャネル支流とＱチャネル支流の同期化ワードの受信を除いては、図１４Ｄに示す上りリンクＤＰＣＣＨに対する相関器回路と同一である。
【０１３２】
Ａ１−Ａ４地点の結果とＢ地点における結果とは図１４Ｅに示すように同一である。同様に、サイドローブは除去されたり最小化され、その結果値は図１３Ｂの最適の相関結果に対応する。
【０１３３】
フレーム同期化に用いられるパイロットシンボル（またはパイロットビット）の数はスロット当たり２シンボル（またはスロット当たり４ビット）であるので、３２パイロットシンボル（または６４パイロットビット）がフレーム同期のために各無線フレームで用いられる。
【０１３４】
Ｎｐ　ｉ　ｌ　ｏ　ｔ　＝４である時、下りリンクＤＰＣＣＨで図１４Ｇの相関器回路が用いられる。このような場合には、Ｉチャネル支流とＱチャネル支流のフレーム同期ワードが相関器回路に入力される。図１４Ｆに示す合算結果は、図１３Ａの最適の結果に対応する。この場合、フレーム同期化のために用いられるパイロットシンボル（またはパイロットビット）の数はスロット当たり１シンボル（またはスロット当たり２ビット）であり、１６シンボル（または３２パイロットビット）がフレーム同期のために各無線フレームで用いられる。
【０１３５】
Ｎｐ　ｉ　ｌ　ｏ　ｔ　＝１６である時、下りリンクＤＰＣＣＨで図１５Ｃの相関器回路はパイロットシンボル＃５及びシンボル＃７のＩチャネル支流とＱチャネル支流の追加フレーム同期ワードを受容して拡張できる。
【０１３６】
合算結果は図１３Ｂの最適の結果と同一であるが、反対極性の最大ピーク値は１２８（８＊Ｌ）と−１２８（−８＊Ｌ）になり得る。また、フレーム同期化のために用いられるパイロットシンボル（またはパイロットビット）の数はスロット当たり４シンボル（またはスロット当たり８ビット）であり、６４シンボル（または１２８パイロットビット）がフレーム同期のために各無線フレームで用いられる。
【０１３７】
（下りリンクＰＣＣＰＣＨとＳＣＣＰＣＨに対する第１実施の形態）
図１６ＡはＰＣＣＰＣＨのパイロットシンボルパターンを示すものである。陰影のシンボルがフレーム同期化のために用いられ、フレーム同期ワードを除いた残りパイロットシンボルの値は”１１”である。
【０１３８】
図１６Ｂは図１２Ａの８つの同期ワードＣ１−Ｃ８と図１６Ａに示す陰影のパイロットシンボルパターンとの間のマッピング関係を示すものである。フレーム同期化タイミングの二重検査及び同期化探索時間の減少は、式（６）でα＝１またはα＝２であるとき実現され得る。
【０１３９】
図１６ＣはＳＣＣＰＣＨのパイロットシンボルパターンを示すものである。陰影のシンボルがフレーム同期化のために用いられ、フレーム同期ワードを除いた残りパイロットシンボルの値は”１１”である。
【０１４０】
図１６Ｄは図１２Ａの８つの同期ワードＣ１−Ｃ８と図１６Ｃに示す陰影のパイロットシンボルパターン間のマッピング関係を示すものである。
【０１４１】
前記したように、ＰＣＣＰＣＨとＳＣＣＰＣＨのフレーム同期ワードはフレーム同期ワードＣ１−Ｃ８に基づき、また、上りリンクＤＰＣＣＨと下りリンクＤＰＣＨに対する詳細な説明に適用され得る。従って、相互相関及び自己相関、動作及び実現例を含む多様な特徴についてのより詳しい説明は省略する。本発明の技術分野で通常の知識を有する者であれば、上りリンクＤＰＣＣＨと下りリンクＤＰＣＨに基づいた本発明を容易に理解できるだろう。
【０１４２】
前記したように、非陰影のシンボルはフレーム同期化のために用いられず、”１１”のシンボルを含む。そして、陰影のシンボルはフレーム同期化のために用いられる。パイロットパターンのフレーム同期ワードはフレーム同期確認に用いられ、フレーム同期ワードの各自己相関値の合算が要求される。このフレームワードの自己相関値の合算特性は非常に重要である。
【０１４３】
ＤＰＣＨとＰＣＣＰＣＨに対する本発明の更に詳細な実施形態によるフレーム同期ワードの自己相関関数と、現在のパイロットパターン（ＴＳＳ１．１１ｖ１．１．０明細に記述された）の自己相関関数との和を図１７Ａないし図１７Ｃに示す。
【０１４４】
ここで分かるように、既存のパイロットパターン等は、０の時間遅延で最大値の自己相関関数を有するものの、その他の時間遅延では０の相関値を有しない。これに対して、本発明の更に詳細な実施の形態によるフレーム同期ワードは、０の時間遅延及び中間の時間遅延で同じ大きさであり極性が異なる２つの最大の自己相関関数を有し、その他の時間遅延では０の相関値を有する。
【０１４５】
予め決められていたフレーム同期ワードに対する相関はフレーム同期のための最適な方法である。これは、パイロットパターンのフレーム同期ワードがフレーム同期の確認に用いられるからである。次のイベント（ｅｖｅｎｔｓ）及びパラメーターは本発明のパイロットパターンと既存のパイロットパターンのフレーム同期ワードを使用してフレーム同期の確認の性能を向上させるに用いられる。
【０１４６】
Ｈ１：受信された陰影の縦列のフレーム同期ワードと、これに相応して受信機に貯蔵されたフレーム同期ワードとの間のコード位相オフセットが０である時、自己相関器の出力が所定の臨界値を超えるイベント。
Ｈ２：受信された陰影の縦列のフレーム同期ワードと、これに相応して受信機に貯蔵されたフレーム同期ワードとの間のコード位相オフセットが０でない時、自己相関器の出力が所定の臨界値を超えるイベント。
Ｈ３：一フレームの間にＨ１のイベントは１回で、Ｈ２のイベントはないイベント。
Ｈ４：受信された陰影の縦列のフレーム同期ワードと、これに相応して受信機に貯蔵されたフレーム同期ワードとの間のコード位相オフセットがそれぞれ０又は８である時、相関器の出力が“−１×（所定の臨界値）”より小さいイベント。
Ｈ５：受信された陰影の縦列のフレーム同期ワードと、これに相応して受信機に貯蔵されたフレーム同期ワードとの間のコード位相オフセットが０でもなく８でもない時、相関器の出力が“−１×（所定の臨界値）”より小さいイベント。
Ｈ６：一フレームの間にＨ４のイベントは１回で、Ｈ５のイベントはないイベント。
ＰＤ：検出確率。
ＰＦＡ：誤報（ｆａｌｓｅ　ａｌａｒｍ）確率。
ＰＳ：一フレームの間のフレーム同期の確認の成功確率。
【０１４７】
既存のパイロットパターンがフレーム同期の確認に用いられる時、前記定義における検出確率と誤報確率は次の式７、式８のように示される。
ＰＤ＝Ｐｒｏｂ（Ｈ１）・・・（７）
ＰＦＡ＝Ｐｒｏｂ（Ｈ２）・・・（８）
【０１４８】
一フレームの間のフレーム同期の確認の成功確率はＰＳ＝Ｐｒｏｂ（Ｈ３）となり、これは次の式９のように示される。
ＰＳ＝ＰＤ（１−ＰＦＡ）１５・・・（９）
【０１４９】
本発明の更に詳細な実施の形態によるフレーム同期ワード等の場合を顧慮すると、二重臨界値は二重検査のフレーム同期に要り、検出確率と誤報確率は次の式１０、式１１のように示される。
ＰＤ＝Ｐｒｏｂ（Ｈ４）・・・（１０）
ＰＦＡ＝Ｐｒｏｂ（Ｈ５）・・・（１１）
【０１５０】
同様に、本発明の実施の形態によるフレーム同期ワード等の場合において、一フレームの間のフレーム同期の確認の成功確率はＰＳ＝Ｐｒｏｂ（Ｈ６）となり、次の式１２のように示される。
ＰＳ＝ＰＤ（１−ＰＦＡ）１４・・・（１２）
【０１５１】
式９ないし式１２から、フレーム同期の確認確率は誤報確率により大きな影響を受けるが、これはＰＳとＰＤと（１−ＰＦＡ）１４、又は（１−ＰＦＡ）１５に比例するからである。例えば、ＰＦＡ＝１０ー１の時は（１−ＰＦＡ）１４＝０．２２８８で、（１−ＰＦＡ）１５＝０．２０５９である。ＰＦＡ＝１０ー３の時は（１−ＰＦＡ）１４＝０．９８６１で、（１−ＰＦＡ）１５＝０．９８５１である。フレーム同期の性能は、ＰＦＡが（１−ＰＤ）よりも更に小さく臨界値を選択することにより充分に向上させることができる。
【０１５２】
図１８Ａのパラメーター等は、付加的白色ガウス雑音（ＡＷＧＮ：Ａｄｄｉｔｉｖｅ　Ｗｈｉｔｅ　Ｇａｕｓｓｉａｎ　Ｎｏｉｓｅ）下での上りリンクＤＰＣＣＨと下りリンクＤＰＣＣＨ上のＰＤ、ＰＦＡ及びＰＳを得るに用いられる。図１８Ｂは付加的白色ガウス雑音ＡＷＧＮ下での下りリンクＤＰＣＣＨ上のＰＤの検出確率を示している。図１８Ｃは付加的白色ガウス雑音ＡＷＧＮ下での下りリンクＤＰＣＣＨ上のＰＦＡの誤報（ｆａｌｓｅａｌａｒｍ）確率を示している。そして、図１８Ｄは付加的白色ガウス雑音ＡＷＧＮ下での下りリンクＤＰＣＣＨ上のＰＤのフレーム同期の確認の成功確率を示している。ここで、ＰＤ、ＰＦＡ、そしてＰＳはＥｂ／Ｎｏ比率（Ｅｂ＝ビット当たりエネルギー、Ｎｏ＝雑音電力スペクトル密度）関数として与えられる。本発明の更に詳細な実施の形態によるパイロットパターンのＰＤとＰＳは既存のパイロットパターンのＰＤとＰＳよりも高い。更に、本発明の実施の形態によるパイロットパターンのＰＦＡは既存のパイロットパターンのＰＦＡよりも小さい。理論的な式９ないし式１２は図１８Ｄのシミュレーション結果と同じである。従って、本発明のパイロットパターンと既存のパイロットパターンとのフレーム同期の性能には顕著な差がある。例えば、図１８Ｄにおいて、本発明のパイロットパターンを使用するのによるＰＳ＝０．９３で３ｄＢ利得がある。
【０１５３】
本発明のフレーム同期ワードは特にフレーム同期の確認に適する。陰影のフレーム同期ワードの自己相関関数等を加算することにより、０の時間遅延と中間の時間遅延で大きさは同じで極性は異なる２つの最大値が得られる。このような特性はスロット単位で使用可能であり、二重検査のフレーム同期タイミングに使用可能である。更に、同期化探索時間を短縮させるのに使用可能である。パイロットパターンを用いるＡＷＧＮ下でのフレーム同期の確認性能は本発明のパイロットパターンと既存のパイロットパターン間のフレーム同期の性能の顕著な差から現れる。
【０１５４】
（ＳＴＴＤに対する下りリンクＤＰＣＨ、ＰＣＣＰＣＨ、ＳＣＣＰＣＨの第１実施の形態）
図１９Ａは時空伝送ダイバーシティー（ＳＴＴＤ）に基づいた時空ブロックコーディング（ｓｐａｃｅ　ｔｉｍｅ　ｂｌｏｃｋ　ｃｏｄｉｎｇ）を使用するダイバーシティーアンテナのための下りリンクＤＰＣＨのパイロットシンボルパターンを示す図である。下りリンクＤＰＣＨ上のダイバーシティーパイロットシンボルパターンに対して、ＳＴＴＤはＮｐｉｌｏｔ＝８の場合に陰影のパイロットシンボル＃１、＃３に、Ｎｐｉｌｏｔ＝１６の場合に陰影のパイロットシンボル＃１、＃３、＃５、そして＃７に適用される。Ｎｐｉｌｏｔ＝８の場合の非陰影のパイロットシンボル＃０、＃２と、Ｎｐｉｌｏｔ＝１６の場合の非陰影のパイロットシンボル＃０、＃２、＃４、そして＃６は図１５Ａのパイロットシンボルと直交に符号化される。しかし、Ｎｐｉｌｏｔ＝４の時の下りリンクＤＰＣＨに対するダイバーシティーパイロットパターンはＳＴＴＤ符号化される。ここで、ＳＴＴＤ符号化は２つのシンボルを必要とする。
【０１５５】
図１９Ｂは図１２Ａの８個の同期ワードと図１９Ａに示す陰影のパイロットシンボルパターンとの間のマッピング関係を示し、図１９ＣはＰＣＣＰＣＨに対するダイバーシティーアンテナパイロットシンボルパターンを示している。図１９Ｃのパイロットシンボルは図１６Ａのパイロットシンボルと直交的に符号化される。図１９Ｄは図１２Ａの８個の同期ワードと図１９Ｃに示す陰影のパイロットシンボルパターン間のマッピング関係を示している。図１９ＥはＳＣＣＰＣＨで時空ブロックコーディングを使用する時、ダイバーシティーアンテナのための新たなパイロットシンボルパターンを示している。ＳＣＣＰＣＨ上のダイバーシティーパイロットシンボルパターンに対して、図１９ＥにおけるＳＴＴＤはＮｐｉｌｏｔ＝８の場合に陰影のパイロットシンボル＃１、＃３に、Ｎｐｉｌｏｔ＝１６の場合に陰影のパイロットシンボル＃１、＃３、＃５、そして＃７に適用される。反面、Ｎｐｉｌｏｔ＝８の場合の非陰影のパイロットシンボル＃０、＃２と、Ｎｐｉｌｏｔ＝１６の場合の非陰影のパイロットシンボル＃０、＃２、＃４、そして＃６は図１６Ｃのパイロットシンボルと直交に符号化される。図１９Ｆは図１２Ａの８個の同期ワードと図１９Ｅに示す陰影のパイロットシンボルパターン間のマッピング関係を示している。
【０１５６】
前記説明はワードＣ１−Ｃ８に基づいているため、上りリンクＤＰＣＣＨ、下りリンクＤＰＣＨ、ＰＣＣＰＣＨ及びＳＣＣＰＣＨに係る前述の内容は容易に適用可能である。また、前記技術分野に対する通常の知識を有する者は前述の詳細内容に基づいたダイバーシティーアンテナを用いる下りリンクに対する特徴について容易に理解できるだろう。従って、より詳細な説明は省略する。
【０１５７】
（上りリンクＤＰＣＣＨと下りリンクＤＰＣＨとＰＣＣＰＣＨに対する他の実施の形態）
図２０Ａは本発明の他の実施の形態によるフレーム同期ワードＣ１−Ｃ１６（ｉ＝１６）及び自己相関関数を示すテーブルである。フレーム同期ワードＣ１−Ｃ１６は第１実施の形態のＰＣＳＰにより次のように区分される。
Ｅ＝｛Ｃ１、Ｃ３、Ｃ９、Ｃ１１｝
Ｆ＝｛Ｃ２、Ｃ４、Ｃ１０、Ｃ１２｝
Ｇ＝｛Ｃ５、Ｃ７、Ｃ１３、Ｃ１５｝
Ｈ＝｛Ｃ６、Ｃ８、Ｃ１４、Ｃ１６｝
【０１５８】
他のフレーム同期ワードＣ１−Ｃ１６の区分は式１〜式６に適用可能である。そして、第１実施の形態と同様な特性及び特徴を有する。
【０１５９】
図２０ＢはＰＣＳＰで区分された各フレーム同期ワードのパイロットビットの自己相関関数を示すテーブルである。このような場合、各クラス（ｃｌａｓｓ）は４つのシーケンスを含み、同クラスのシーケンスは同一の自己相関関数を有する。図２０ＣはＮｐｉｌｏｔ＝６とＮｐｉｌｏｔ＝８の上りリンクＤＰＣＣＨのパイロットビットパターンを示し、図２０Ｄは図２０Ａの他のフレーム同期ワードＣ１−Ｃ１６と図２０Ｃに示す陰影のフレーム同期ワード間のマッピング関係を示している。図２０Ｅ、図２０Ｆは８、１６、３２、６４、１２８、２５６、５１２、１０２４、２０４８、そして４０９６ｋｓｐｓの下りリンクＤＰＣＨのパイロットシンボルパターンを示している。図２０Ｇは図２０Ａの他のフレーム同期ワードＣ１−Ｃ１６と図２０Ｅ、図２０Ｆに示す陰影のフレーム同期ワード間のマッピング関係を示している。図２０Ｈは下りリンクＰＣＣＰＣＨのパイロットシンボルパターンを示し、図２０Ｉは図２０Ａの他のフレーム同期ワードＣ１−Ｃ１６と図２０Ｈに示す陰影のフレーム同期ワード間のマッピング関係を示している。
【０１６０】
前記説明はワードＣ１−Ｃ１６に基づいているため、第１実施の形態のワードＣ１−Ｃ８と同様な特徴を有する。第１実施の形態の上りリンクＤＰＣＣＨ、下りリンクＤＰＣＨ、ＰＣＣＰＣＨ及びＳＣＣＰＣＨに係る前述の内容は容易に適用可能である。また、前記技術分野に対する通常の知識を有する者であれば前述の詳細内容に基づいたダイバーシティーアンテナを用いる下りリンクに対する特徴について容易に理解するだろう。従って、より詳細な説明は省略する。
【０１６１】
本発明のより詳細な実施の形態のフレーム同期ワード等はフレーム同期の確認に特に適切である。陰影のフレーム同期ワードの自己相関関数等の加算により、０の時間遅延と中間の時間遅延で大きさは同じであり極性は異なる二重の最大値が得られる。このような特性はスロット単位で使用可能であり、二重検査のフレーム同期タイミングに使用可能である。また、同期化探索時間を短縮させるに使用可能である。更に、本発明は、受信機に使用される相関器の構造を一層単純化する。これにより、受信機の複雑度を小さくすることができる。
【０１６２】
本発明の様々な長所のため、第１実施の形態は１９９９年６月に発表したＴＳ２５．２１１ｖ２．０．１に示すように３ＧＰＰにより取り入られた。この発表の内容は本発明の参考資料に含まれる。
【０１６３】
（Ｌ＝１５に対するより詳細な実施の形態）
本発明のより詳細な実施の形態による前記パイロットパターン等はフレーム同期の確認を含む様々な長所を有する。しかし、他のパイロットパターン等は１５スロット（Ｌ＝１５）の時に必要である。これはＯＨＧ（Ｏｐｅｒａｔｉｏｎ　Ｈａｒｍｏｎｉｚａｔｉｏｎ　Ｇｒｏｕｐ）のためである。図２１は本発明の実施の形態による新たなフレーム同期ワードＣ１−Ｃｉ−ｔｈを示している。これは最小相関係数の自己相関関数を有し、中間の時間遅延（ｉ＝８）で負の最大値である最も小さな大きさの相互相関関数を有する。これらフレーム同期ワードは、一般的なパイロットパターンと上りリンクＤＰＣＨ、そして本発明の実施の形態の下りリンクＤＰＣＨ及びＳＣＣＰＣＨのダイバーシティーアンテナパイロットパターンを設計するのに用いられる。２つの相関関数の使用により、０の時間遅延と中間の時間遅延で二重検査のフレーム同期化が可能である。
【０１６４】
ＡＷＧＮ環境下で単一検査と二重検査のフレーム同期の確認の性能評価を行う際、図２１のワードＣ１−Ｃ８はフレーム同期の確認に適する。フレーム同期ワードＣ１−Ｃ８は下式１３のように２つの自己相関関数を有する。
【数２】
2004120729.tif 000004
【０１６５】
ここで、Ｒｉ（τ）はフレーム同期ワードＣｉの自己相関関数である。Ｌ＝１６の時と同様に、図２１のワードは次の４つのクラスに分けられる。
Ｅ＝｛Ｃ１、Ｃ２｝
Ｆ＝｛Ｃ３、Ｃ４｝
Ｇ＝｛Ｃ５、Ｃ６｝
Ｈ＝｛Ｃ７、Ｃ８｝
【０１６６】
ここで、同クラスに属する２つのワードはＰＣＳＰである。
【０１６７】
下式１４、１５は適切な対｛Ｃ１、Ｃ２｝、｛Ｃ３、Ｃ４｝、｛Ｃ５、Ｃ６｝、｛Ｃ７、Ｃ８｝に対する相互相関関数である。
【数３】
2004120729.tif 000005
【０１６８】
上記式におけるＲｉ，ｊ（τ）はＥ、Ｆ、Ｇ、Ｈの適切な対の２つのワード間の相互相関関数であり、ｉ、ｊ＝１、２、３、・・・、８である。
【０１６９】
このような自己相関関数と相互相関関数とを結合することにより次の式１６、１７が得られる。
【数４】
2004120729.tif 000006
【０１７０】
上記式１６、１７において、α＝２の時、図２２Ａは２つの自己相関関数の和を示している。図２２Ｂは同クラスに属する２つのフレーム同期ワード間の２つの相互相関関数の和を示している。同様に、式１６、１７において、α＝４の時、図２２Ｃは４つの自己相関関数の和を示している。図２２ＤはクラスＥ、Ｆに属する４つのフレーム同期ワード間の４つの相互相関関数の和を示している。
【０１７１】
本発明のより詳細な実施の形態によるフレーム同期ワードＣ１−Ｃ８の自己相関関数は最小相関係数を有するため、単一検査のフレーム同期の確認は図２２Ｃに示す自己相関関数出力の（ａ）で負の臨界値を適用することで実現可能である。　更に、二重検査のフレーム同期の確認は図２２Ｄに示す相互相関関数出力の（ｂ）で負の臨界値を設定することで実現する。
【０１７２】
図２３ＡはＮｐｉｌｏｔ＝２、３、４の上りリンクＤＰＣＣＨ上のパイロットビットパターンを示し、図２３Ｃは図２３Ａに比較されるＮｐｉｌｏｔ＝２、３、４の上りリンクＤＰＣＣＨ上のパイロットビットパターンを示している。図２３Ｅないし図２３ＦはＮｐｉｌｏｔ＝５、６、７、８の上りリンクＤＰＣＣＨ上のパイロットビットパターンを示している。図２３Ａ、図２３Ｃ、図２３Ｅ、そして図２３Ｆの陰影部分はフレーム同期ワードとして使用可能である。そして、フレーム同期ワードを除いたパイロットビット値は１である。
【０１７３】
図２３Ｂ、図２３Ｄは図２１のフレーム同期ワードと図２３Ａ、図２３Ｃに各々示す陰影のフレーム同期ワード間のマッピング関係を示している。又、図２３Ｇは図２１のフレーム同期ワードと図２３Ｅ、図２３Ｆに各々示す陰影のフレーム同期ワード間のマッピング関係を示している。
【０１７４】
Ｌ＝１６の時、上りリンクＤＰＣＣＨに対する前記記述は若干の変形された相関器回路と一般的な特徴を含み、Ｌ＝１５の時に本発明のより詳細な実施の形態に容易に適用可能である。例えば、図２１のフレーム同期ワードＣ１−Ｃ８に示すように、各ワードは同数の１と０のビット値を有する。本発明のより詳細な実施の形態において、ｂ１−ｂ０の結果は正の値又は負の値である。例えば０に近い値である。また、スロットの数が１５の時、ｂ３−ｂ４の結果は０に近い正の値又は負の値である。更に、Ｎｐｉｌｏｔ＝２、３、４に対して一無線フレームの１５タイムスロットで２つのフレーム同期ワードが用いられるため、フレーム毎に同期に使用されるパイロットビットの数は３０である。反面、Ｎｐｉｌｏｔ＝５、６、７、８に対して一無線フレームの１５タイムスロットで４つのフレーム同期ワードが用いられるため、フレーム毎に同期に使用されるパイロットビットの数は６０である。更に、２つ又は４つのフレーム同期ワードの間の２つ又は４つの自己相関関数と相互相関関数の加算結果は図２２Ａ〜図２２Ｄの通りである。
【０１７５】
ＲＡＣＨ（Ｒａｎｄｏｍ　Ａｃｃｅｓｓ　Ｃｈａｎｎｅｌ）は使用者装置（ＵＥ：Ｕｓｅｒ　Ｅｑｕｉｐｍｅｎｔ）から制御情報を運ぶに用いる上りリンク伝送チャネルである。又、ＲＡＣＨは短い使用者パケットを運ぶに用いる。ＲＡＣＨは常に全セルから受信される。
【０１７６】
図２３Ｈはランダムアクセスチャネルの構造を示す。１０ｍｓのメッセージは１５スロットに分けられ、各長さはＴＳＬＯＴ＝２５６０チップ（ｃｈｉｐ）である。各スロットは第２階層の情報を運ぶデータ部分と第１階層の制御情報を運ぶ制御部分とを有する。データ部分と制御部分は並列伝送される。データ部分は１０＊２ｋビットを含む。ここで、ｋ＝０、１、２、３であり、これはメッセージのデータ部分に対する各２５６、１２８、６４、そして３２の拡散因子に基づく。制御部分は、８と知られているコヒーレント検出（ｃｏｈｅｒｅｎｔ　ｄｅｔｅｃｔｉｏｎ）のためのチャネル推定を支援するパイロットビットと２ビットのレート（ｒａｔｅ）情報を有する。これはメッセージの制御部分に対する２５６拡散因子に基づく。
【０１７７】
図２３Ｉはランダムアクセスメッセージ制御フィールドを示し、このフィールドには常にチャネル推定のためのスロット当たり８パイロットシンボルを含む。本発明のより詳細な実施の形態によるフレーム同期ワード等の独特な特徴により、フレーム同期ワードＣ１−Ｃ８はチャネル推定のためのＲＡＣＨのパイロットビットパターンで使用可能である。
【０１７８】
図２３ＪはＲＡＣＨ（ランダムアクセスチャネル）のパイロットビットパターンを示し、そのマッピング関係はＮｐｉｌｏｔ＝８の時の図２３Ｇに示すマッピング関係と同様である。チャネル推定のみのために使用可能であるフレーム同期ワードＣ１−Ｃ８の独特な特徴により、互いに異なる上りリンクチャネル間の共通性を有するようにパイロットパターンは再使用が容易である。
【０１７９】
図２４ＡはＮｐｉｌｏｔ＝２、４、８、１６の下りリンクＤＰＣＨ上のパイロットシンボルパターンを示している。図２４Ａの陰影部分はフレーム同期化のシンボルとして使用可能である。これらの各シンボルはＩチャネルの支流に対する一つのフレーム同期ワードを有し、Ｑチャネルの支流に対する他のフレーム同期ワードを有する。そして、フレーム同期ワードを除いたパイロットシンボルの値は“１１”である。図２４Ｂは図２１のフレーム同期ワードと図２４Ａに示す陰影のフレーム同期ワード間のマッピング関係を示し、図２４ＣはＳＴＴＤを用いたダイバーシティーアンテナのための下りリンクＤＰＣＨのパイロットシンボルパターンを示している。下りリンクＤＰＣＨ上のダイバーシティーパイロットシンボルパターンに対して、ＳＴＴＤはＮｐｉｌｏｔ＝８の時に陰影のパイロットシンボル＃１、＃３に、Ｎｐｉｌｏｔ＝１６の時に陰影のパイロットシンボル＃１、＃３、＃５、そして＃７に適用される。Ｎｐｉｌｏｔ＝８の時の非陰影のパイロットシンボル＃０、＃２と、Ｎｐｉｌｏｔ＝１６の時の非陰影のパイロットシンボル＃０、＃２、＃４、そして＃６は、図２４Ａのパイロットシンボルと直交的に符号化される。しかし、Ｎｐｉｌｏｔ＝４の時、下りリンクＤＰＣＨに対するダイバーシティーパイロットパターンはＳＴＴＤ符号化される。ＳＴＴＤ符号化は２つのシンボルを必要とする。
【０１８０】
ＳＴＴＤ符号化されたパイロットシンボルパターンは一般のパイロットシンボルパターンと直交的なので、ＳＴＴＤ符号化されたパイロットパターンはフィードバックモード（ｆｅｅｄｂａｃｋ　ｍｏｄｅ）のダイバーシティーのアンテナ検査のために使用可能である。図２４Ｄは図２１のフレーム同期ワードと図２４Ｃに示す陰影のフレーム同期ワード間のマッピング関係を示している。
【０１８１】
図２５ＡはＮｐｉｌｏｔ＝８、１６の下りリンクＳＣＣＰＣＨ上のパイロットシンボルパターンを示し、図２５Ｂは図２１のフレーム同期ワードＣ１−Ｃ８と図２５Ａに示す陰影のフレーム同期ワード間のマッピング関係を示している。又、図２５ＣはＳＴＴＤを用いたダイバーシティーアンテナに対して、Ｎｐｉｌｏｔ＝８、１６の下りリンクＳＣＣＰＣＨ上のパイロットシンボルパターンを示し、図２５Ｄは図２１のフレーム同期ワードＣ１−Ｃ８と図２５Ｃに示す陰影のフレーム同期ワード間のマッピング関係を示している。
【０１８２】
Ｌ＝１６の時の下りリンクＤＰＣＨに対する前記記述は若干の変形された相関器回路と一般的な特徴を含み、Ｌ＝１５の時に本発明のより詳細な実施の形態に容易に適用可能である。更に、２つ又は４つのフレーム同期ワードの間の２つ又は４つの自己相関関数と相互相関関数の加算結果は図２２Ａ、図２２Ｄの通りである。
【０１８３】
フレーム当たり１５スロットに対するより詳細な実施の形態においてフレーム同期ワードの性能を向上させるために、まず次のイベント及びパラメーターを定義する。
【０１８４】
Ｈ１：コード位相オフセットが０の時、自己相関器の出力が所定の臨界値を超えるイベント。
Ｈ２：コード位相オフセットが０の時に自己相関器の出力が所定の臨界値を超えるか、コード位相オフセットが７の時に相互相関器の出力が“−１×（所定の臨界値）”より小さいイベント。
Ｈ３：コード位相オフセットが０でない時、自己相関器の出力が所定の臨界値を超えるイベント。
Ｈ４：コード位相オフセットが７でない時、相互相関器の出力が“−１×（所定の臨界値）”より小さいイベント。
ＰＳ：フレーム同期の確認の成功確率。
ＰＦＡ：誤報（ｆａｌｓｅ　ａｌａｒｍ）確率。
【０１８５】
フレーム同期はフレーム同期ワードを使用する相関器の出力が所定の臨界値を超える場合に確認される。フレーム同期の確認の成功は連続的なＳＲフレームで同期が確認される時に決定される。従って、フレーム同期の確認の成功確率は次式１８のように定義される。
【数５】
2004120729.tif 000007
【０１８６】
誤報確率は次式１９のように示される。
【数６】
2004120729.tif 000008
【０１８７】
図２６ＡのパラメーターはＡＷＧＮ下での上りリンクＤＰＣＣＨ上のパイロットビットパターンの性能を向上させるのに用いる。図２６Ｂは付加的白色ガウス雑音ＡＷＧＮ下でＮｐｉｌｏｔ＝６である上りリンクＤＰＣＣＨ上のＰＳのフレーム同期の確認の成功確率を示し、図２６Ｃは付加的白色ガウス雑音（ＡＷＧＮ）下でＮｐｉｌｏｔ＝６である上りリンクＤＰＣＣＨ上のＰＦＡの誤報確率を示している。
【０１８８】
ＰＳ、ＰＦＡはＥｂ／Ｎｏ比率（Ｅｂ＝ビット当たりエネルギー、Ｎｏ＝雑音電力スペクトル密度）関数として与えられる。上りリンクＤＰＣＣＨのＳＲ＝３の時、単一検査のフレーム同期の確認と二重検査のフレーム同期の確認のＰＳはそれぞれ０．９４５より小さく、−５ｄＢで０．９９より小さい。又、単一検査技法に準える二重検査技法を使用することで得られる利得は約４ｄＢである。図２６Ｃから、−５ｄＢで正規化された臨界値が０．６である時、誤報確率は２．５×１０−４よりも小さい。二重検査フレーム同期確認技法が用いられる際、Ｅｂ／Ｎｏ＝０ｄＢで０の誤報を有する完全なフレーム同期の確認の成功が検出されるので、パイロットパターンはフレーム同期の確認のために使用可能である。
【０１８９】
図２７は１５スロット及び１６スロットに対する各実施の形態間の比較を示す図表である。Ｌ＝１６の時の長所を含む本発明のより詳細な実施の形態によるＬ＝１５の時のパイロットビット／シンボルパターンは追加の長所を有する。
【０１９０】
【発明の効果】
以上説明した本発明によれば、これらのフレーム同期ワードの特性及び特徴を用いることにより二重検査フレーム同期技法が得られる。また、単一検査技法と比較される二重検査フレーム同期確認技法を使用することにより、約４ｄＢの顕著な利得が得られる。しかし、１５スロットの場合には相関器回路の複雑度が大きく、これは、正の最大値の検出のための自己相関器及び負の最大値の検出のための相互相関器とが使用されるからである。１５スロットのフレーム同期ワードの自己相関関数が最小相関係数を有するので、単一検査フレーム同期確認技法を用いることができる。１６スロットの場合は＋４又は−４の相関係数のために若干の問題があるに対し、１５スロットのパイロットパターンはフレーム同期の確認に適する。これは、二重検査フレーム同期確認技法が用いられる時、上りリンクＤＰＣＨ上のＥｂ／Ｎｏ＝０ｄＢで０の誤報を有する完全なフレーム同期の確認の成功が検出されるからである。本発明のより詳細な実施の形態による様々な長所のため、１５スロットのパイロットビット／シンボルパターンが３ＧＰＰに再び取り入られている。
【図面の簡単な説明】
【図１】各ユーザー装置（ＵＥ）と基地局（ＢＳ）間の通信でＣＤＭＡ変調技術を用いる一般的なシステムを示す図。
【図２】互いに異なる三つの電波現象をを示す図。
【図３】時間多重化したパイロットシンボルのための送受信機及び受信機のブロック構成図を示す図。
【図４】３ＧＰＰ無線接続ネットワーク（ＲＡＮ）の規格による上りリンク専用物理チャネル（ＤＰＣＨ）のフレーム構造を示す図。
【図５】上りリンクＤＰＣＣＨに対する種々の情報を示す図。
【図６】上りリンクＤＰＣＣＨに対するパイロットビットパターンを示す図。
【図７】３ＧＰＰ無線接続ネットワーク（ＲＡＮ）の規格による上りリンク専用物理チャネル（ＤＰＣＨ）に対する拡散及びスクランブリング装置を示す図。
【図８】３ＧＰＰ無線接続ネットワーク（ＲＡＮ）の規格による下りリンク専用物理チャネル（ＤＰＣＨ）のフレーム構造を示す図。
【図９】下りリンク専用物理制御チャネル（ＤＰＣＣＨ）に含まれたパイロットシンボルパターンを示す図。
【図１０】３ＧＰＰ無線接続ネットワーク（ＲＡＮ）の規格による下りリンク専用物理チャネル（ＤＰＣＨ）に対する拡散及びスクランブリング装置を示す図。
【図１１Ａ】ＰＣＣＰＣＨとＳＣＣＰＣＨのフレーム構造を示す図。
【図１１Ｂ】ＰＣＣＰＣＨとＳＣＣＰＣＨのフレーム構造を示す図。
【図１２Ａ】本発明の実施の形態によるフレーム同期ワードを示すテーブル。
【図１２Ｂ】パイロットビットのシーケンスに対する自己相関を示すテーブル。
【図１３Ａ】２つの自己相関関数の合算結果を示す図。
【図１３Ｂ】４つの自己相関関数の合算結果を示す図。
【図１４Ａ】本発明の実施形態による上りリンクＤＰＣＣＨに対するパイロットパターンを示すテーブル。
【図１４Ｂ】本発明の実施形態による上りリンクＤＰＣＣＨに対するパイロットパターンを示すテーブル。
【図１４Ｃ】図１２Ａの８つの同期ワードと図１４Ａ及び１４Ｂに示す陰影のパイロットビットパターンとの間のマッピング関係を示すテーブル。
【図１４Ｄ】本発明の実施形態による上りリンクＤＰＣＣＨのパイロットビットに基づいたフレーム同期のための相関器回路を示す図。
【図１４Ｅ】Ａ１−Ａ４地点での相関結果を示すテーブルで、図１４ＤのＢ地点での相関結果の合を示すテーブル。
【図１４Ｆ】本発明の実施形態によるフレーム同期ワードの上りリンクパイロットパターンに基づいた相関結果値の種々の合算結果を示すテーブル。
【図１４Ｇ】上りリンクＤＰＣＣＨのパイロットビットシーケンスに基づいたフレーム同期のための選択的な相関器回路を示す図。
【図１４Ｈ】パイロットフィールドにフレーム同期ワードが含まれた受信拡散信号を復旧するための基地局またはユーザー装置の受信機回路を示す図。
【図１４Ｉ】技術的明細書のパイロットパターンを用いた相関器回路の出力を示す図。
【図１４Ｊ】
図１４Ｉの出力の合に対する時間シフトを示す図。
【図１５Ａ】下りリンクＤＰＣＨに対するパイロットシンボルパターンを示す図。
【図１５Ｂ】図１２Ａの８つの同期ワードと図１５Ａに示す陰影のパイロットシンボルパターンとの間のマッピング関係を示すテーブル。
【図１５Ｃ】実施形態による下りリンクＤＰＣＣＨのパイロットビットに基づいたフレーム同期のための相関器回路を示す図。
【図１６Ａ】ＰＣＣＰＣＨのパイロットシンボルパターンを示す図。
【図１６Ｂ】図１２Ａの８つの同期ワードと図１６Ａに示す陰影のパイロットシンボルパターンとの間のマッピング関係を示す図。
【図１６Ｃ】ＳＣＣＰＣＨのパイロットシンボルパターンを示す図。
【図１６Ｄ】図１２Ａの８つの同期ワードと図１６Ｃに示す陰影のパイロットシンボルパターンとの間のマッピング関係を示す図。
【図１７Ａ】実施形態によるフレーム同期ワードの自己相関関数の合を示し、ＤＰＣＨとＰＣＣＰＣＨに対する現在のパイロットパターン（ＴＳＳ１．１１ｖ１．１．０明細書に記述されたもの）を示す図。
【図１７Ｂ】実施形態によるフレーム同期ワードの自己相関関数の合を示し、ＤＰＣＨとＰＣＣＰＣＨに対する現在のパイロットパターン（ＴＳＳ１．１１ｖ１．１．０明細書に記述されたもの）を示す図。
【図１７Ｃ】実施形態によるフレーム同期ワードの自己相関関数の合を示し、ＤＰＣＨとＰＣＣＰＣＨに対する現在のパイロットパターン（ＴＳＳ１．１１ｖ１．１．０明細書に記述されたもの）を示す図。
【図１８Ａ】付加白色ガウス雑音（ＡＷＧＮ：Ａｄｄｉｔｉｖｅ　Ｗｈｉｔｅ　Ｇａｕｓｓｉａｎ　Ｎｏｉｓｅ）下で上りリンクＤＰＣＣＨ及び下りリンクＤＰＣＨ上のＰＤ、ＰＦＡ、及びＰＳを得るために用いられるパラメータを示す図。
【図１８Ｂ】付加白色ガウス雑音（ＡＷＧＮ）下で下りリンクＤＰＣＣＨ上のＰＤの検出確率を示す図。
【図１８Ｃ】付加白色ガウス雑音（ＡＷＧＮ）下で下りリンクＤＰＣＣＨ上のＰＦＡの誤報確率を示す図。
【図１８Ｄ】付加白色ガウス雑音（ＡＷＧＮ）下で下りリンクＤＰＣＣＨ上のＰＤのフレーム同期確認成功確率を示す図。
【図１９Ａ】時空伝送ダイバーシティ（ＳＴＴＤ）に基づいた時空ブロックコーディング（Ｓｐａｃｅ　ｔｉｍｅ　ｂｌｏｃｋ　ｃｏｄｉｎｇ）を用いるダイバーシティアンテナのための下りリンクＤＰＣＨのパイロットシンボルパターンを示す図。
【図１９Ｂ】図１２Ａの８つの同期ワードと図１９Ａに示す陰影のパイロットシンボルパターン間のマッピング関係を示す図。
【図１９Ｃ】ＰＣＣＰＣＨに対するダイバーシティアンテナパイロットシンボルパターンを示す図。
【図１９Ｄ】図１２Ａの８つの同期ワードと図１９Ｃに示す陰影のパイロットシンボルパターンとの間のマッピング関係を示す図。
【図１９Ｅ】ＳＣＣＰＣＨで時空ブロックコーディングが用いられるとき、ダイバーシティアンテナのためのパイロットシンボルパターンを示す図。
【図１９Ｆ】図１２Ａの８つの同期ワードと図１９Ｅに示す陰影のパイロットシンボルパターンとの間のマッピング関係を示す図。
【図２０Ａ】本発明のまた他の実施形態によるフレーム同期ワードと自己相関関数を示すテーブル。
【図２０Ｂ】ＰＣＳＰで区分された各フレーム同期ワードのパイロットビットの自己相関関数を示すテーブル。
【図２０Ｃ】Ｎｐｉｌｏｔ＝６とＮｐｉｌｏｔ＝８である上りリンクＤＰＣＣＨのパイロットビットパターンを示す図。
【図２０Ｄ】図２０Ａの選択的フレーム同期ワードと図２０Ｃに示す陰影のフレーム同期ワードとの間のマッピング関係を示す図。
【図２０Ｅ】下りリンクＤＰＣＨのパイロットシンボルパターンを示す図。
【図２０Ｆ】下りリンクＤＰＣＨのパイロットシンボルパターンを示す図。
【図２０Ｇ】図２０Ａの選択的フレーム同期ワードと図２０Ｅ及び図２０Ｆに示す陰影のフレーム同期ワードとの間のマッピング関係を示す図。
【図２０Ｈ】下りリンクＰＣＣＰＣＨのパイロットシンボルパターンを示す図。
【図２０Ｉ】図２０Ａの選択的フレーム同期ワードと図２０Ｈに示す陰影のフレーム同期ワードとの間のマッピング関係を示す図。
【図２１】本発明の実施の形態による新たなフレーム同期ワードを示す図。
【図２２Ａ】二つの自己相関関数の合を示す図。
【図２２Ｂ】同一クラスに属する二つのフレーム同期ワード間の二つの相互相関関数の合を示す図。
【図２２Ｃ】４つの自己相関関数の合を示す図。
【図２２Ｄ】二つのクラスの４つのフレーム同期ワード間の４つの相互相関関数の合を示す図。
【図２３Ａ】Ｎｐｉｌｏｔ＝２、３、そして４である上りリンクＤＰＣＣＨ上のパイロットビットパターンを示す図。
【図２３Ｂ】図２１のフレーム同期ワードと図２３Ａ及び図２３Ｃにそれぞれ示す陰影のフレーム同期ワードとの間のマッピング関係を示す図。
【図２３Ｃ】図２３Ａと比較されるＮｐｉｌｏｔ＝２、３、そして４である上りリンクＤＰＣＣＨ上のパイロットビットパターンを示す図。
【図２３Ｄ】図２１のフレーム同期ワードと図２３Ａ及び図２３Ｃにそれぞれ示す陰影のフレーム同期ワードとの間のマッピング関係を示す図。
【図２３Ｅ】Ｎｐｉｌｏｔ＝５、６、７、そして８である上りリンクＤＰＣＣＨ上のパイロットビットパターンを示す図。
【図２３Ｆ】Ｎｐｉｌｏｔ＝５、６、７、そして８である上りリンクＤＰＣＣＨ上のパイロットビットパターンを示す図。
【図２３Ｇ】図２１のフレーム同期ワードと図２３Ｅ及び図２３Ｆにそれぞれ示す陰影のフレーム同期ワードとの間のマッピング関係を示す図。
【図２３Ｈ】ランダムアクセスチャネルの構造を示す図。
【図２３Ｉ】ランダムアクセスメッセージ制御フィールドを示す図。
【図２３Ｊ】ＲＡＣＨ（ランダムアクセスチャネル）のパイロットビットパターンを示す図。
【図２４Ａ】Ｎｐｉｌｏｔ＝２、４、８、そして１６である下りリンクＤＰＣＨ上のパイロットビットパターンを示す図。
【図２４Ｂ】図２１のフレーム同期ワードと図２４Ａに示す陰影のフレーム同期ワード間とのマッピング関係を示す図。
【図２４Ｃ】ＳＴＴＤを用いるダイバーシティアンテナのための下りリンクＤＰＣＨのパイロットシンボルパターンを示す図。
【図２４Ｄ】図２１のフレーム同期ワードと図２４Ｃに示す陰影のフレーム同期ワードとの間のマッピング関係を示す図。
【図２５Ａ】Ｎｐｉｌｏｔ＝８、そして１６である下りリンクＳＣＣＰＣＨ上のパイロットシンボルパターンを示す図。
【図２５Ｂ】図２１のフレーム同期ワードと図２５Ａに示す陰影のフレーム同期ワードとの間のマッピング関係を示す図。
【図２５Ｃ】ＳＴＴＤを用いるダイバーシティアンテナに対して、Ｎｐｉｌｏｔ＝８、そして１６である下りリンクＳＣＣＰＣＨ上のパイロットシンボルパターンを示す図。
【図２５Ｄ】図２１のフレーム同期ワードＣ１−Ｃ８と図２５Ｃに示す陰影のフレーム同期ワードとの間のマッピング関係を示す図。
【図２６Ａ】付加白色ガウス雑音（ＡＷＧＮ）下で上りリンクＤＰＣＣＨ上のパイロットビットパターン性能を向上させるために用いられるパラメータを示す図。
【図２６Ｂ】付加白色ガウス雑音（ＡＷＧＮ）下でＮｐｉｌｏｔ＝６である上りリンクＤＰＣＣＨ上のＰＳのフレーム同期確認成功確率を示す図。
【図２６Ｃ】付加白色ガウス雑音（ＡＷＧＮ）下でＮｐｉｌｏｔ＝６である上りリンクＤＰＣＣＨ上のＰＦＡの誤報確率を示す図。
【図２７】１５スロットと１６スロットに対する各実施形態間の比較を示す図表。
【図１】
2004120729.tif 000009
【図２】
2004120729.tif 000010
【図３】
2004120729.tif 000011
【図４】
2004120729.tif 000012
【図５】
2004120729.tif 000013
【図６】
2004120729.tif 000014
【図７】
2004120729.tif 000015
【図８】
2004120729.tif 000016
【図９】
2004120729.tif 000017
【図１０】
2004120729.tif 000018
【図１１Ａ】
2004120729.tif 000019
【図１１Ｂ】
2004120729.tif 000020
【図１２Ａ】
2004120729.tif 000021
【図１２Ｂ】
2004120729.tif 000022
【図１３Ａ】
2004120729.tif 000023
【図１３Ｂ】
2004120729.tif 000024
【図１４Ａ】
2004120729.tif 000025
【図１４Ｂ】
2004120729.tif 000026
【図１４Ｃ】
2004120729.tif 000027
【図１４Ｄ】
2004120729.tif 000028
【図１４Ｅ】
2004120729.tif 000029
【図１４Ｆ】
2004120729.tif 000030
【図１４Ｇ】
2004120729.tif 000031
【図１４Ｈ】
2004120729.tif 000032
【図１４Ｉ】
2004120729.tif 000033
【図１４Ｊ】
2004120729.tif 000034
【図１５Ａ】
2004120729.tif 000035
【図１５Ｂ】
2004120729.tif 000036
【図１５Ｃ】
2004120729.tif 000037
【図１６Ａ】
2004120729.tif 000038
【図１６Ｂ】
2004120729.tif 000039
【図１６Ｃ】
2004120729.tif 000040
【図１６Ｄ】
2004120729.tif 000041
【図１７Ａ】
2004120729.tif 000042
【図１７Ｂ】
2004120729.tif 000043
【図１７Ｃ】
2004120729.tif 000044
【図１８Ａ】
2004120729.tif 000045
【図１８Ｂ】
2004120729.tif 000046
【図１８Ｃ】
2004120729.tif 000047
【図１８Ｄ】
2004120729.tif 000048
【図１９Ａ】
2004120729.tif 000049
【図１９Ｂ】
2004120729.tif 000050
【図１９Ｃ】
2004120729.tif 000051
【図１９Ｄ】
2004120729.tif 000052
【図１９Ｅ】
2004120729.tif 000053
【図１９Ｆ】
2004120729.tif 000054
【図２０Ａ】
2004120729.tif 000055
【図２０Ｂ】
2004120729.tif 000056
【図２０Ｃ】
2004120729.tif 000057
【図２０Ｄ】
2004120729.tif 000058
【図２０Ｅ】
2004120729.tif 000059
【図２０Ｆ】
2004120729.tif 000060
【図２０Ｇ】
2004120729.tif 000061
【図２０Ｈ】
2004120729.tif 000062
【図２０Ｉ】
2004120729.tif 000063
【図２１】
2004120729.tif 000064
【図２２Ａ】
2004120729.tif 000065
【図２２Ｂ】
2004120729.tif 000066
【図２２Ｃ】
2004120729.tif 000067
【図２２Ｄ】
2004120729.tif 000068
【図２３Ａ】
2004120729.tif 000069
【図２３Ｂ】
2004120729.tif 000070
【図２３Ｃ】
2004120729.tif 000071
【図２３Ｄ】
2004120729.tif 000072
【図２３Ｅ】
2004120729.tif 000073
【図２３Ｆ】
2004120729.tif 000074
【図２３Ｇ】
2004120729.tif 000075
【図２３Ｈ】
2004120729.tif 000076
【図２３Ｉ】
2004120729.tif 000077
【図２３Ｊ】
2004120729.tif 000078
【図２４Ａ】
2004120729.tif 000079
【図２４Ｂ】
2004120729.tif 000080
【図２４Ｃ】
2004120729.tif 000081
【図２４Ｄ】
2004120729.tif 000082
【図２５Ａ】
2004120729.tif 000083
【図２５Ｂ】
2004120729.tif 000084
【図２５Ｃ】
2004120729.tif 000085
【図２５Ｄ】
2004120729.tif 000086
【図２６Ａ】
2004120729.tif 000087
【図２６Ｂ】
2004120729.tif 000088
【図２６Ｃ】
2004120729.tif 000089
【図２７】
2004120729.tif 000090
【外国語明細書】
2004120729.tif 000091
2004120729.tif 000092
2004120729.tif 000093
2004120729.tif 000094
2004120729.tif 000095
2004120729.tif 000096
2004120729.tif 000097
2004120729.tif 000098
2004120729.tif 000099
2004120729.tif 000100
2004120729.tif 000101
2004120729.tif 000102
2004120729.tif 000103
2004120729.tif 000104
2004120729.tif 000105
2004120729.tif 000106
2004120729.tif 000107
2004120729.tif 000108
2004120729.tif 000109
2004120729.tif 000110
2004120729.tif 000111
2004120729.tif 000112
2004120729.tif 000113
2004120729.tif 000114
2004120729.tif 000115
2004120729.tif 000116
2004120729.tif 000117
2004120729.tif 000118
2004120729.tif 000119
2004120729.tif 000120
2004120729.tif 000121
2004120729.tif 000122
2004120729.tif 000123
2004120729.tif 000124
2004120729.tif 000125
2004120729.tif 000126
2004120729.tif 000127
2004120729.tif 000128
2004120729.tif 000129
2004120729.tif 000130
2004120729.tif 000131
2004120729.tif 000132
2004120729.tif 000133
2004120729.tif 000134
2004120729.tif 000135
2004120729.tif 000136
2004120729.tif 000137
2004120729.tif 000138
2004120729.tif 000139
2004120729.tif 000140
2004120729.tif 000141
2004120729.tif 000142
2004120729.tif 000143
2004120729.tif 000144
2004120729.tif 000145
2004120729.tif 000146
2004120729.tif 000147
2004120729.tif 000148
2004120729.tif 000149
2004120729.tif 000150
2004120729.tif 000151
2004120729.tif 000152
2004120729.tif 000153
2004120729.tif 000154
2004120729.tif 000155
2004120729.tif 000156
2004120729.tif 000157
2004120729.tif 000158
2004120729.tif 000159
2004120729.tif 000160
2004120729.tif 000161
2004120729.tif 000162
2004120729.tif 000163
2004120729.tif 000164
2004120729.tif 000165
2004120729.tif 000166
2004120729.tif 000167
2004120729.tif 000168
2004120729.tif 000169
2004120729.tif 000170
2004120729.tif 000171
2004120729.tif 000172
2004120729.tif 000173
2004120729.tif 000174
2004120729.tif 000175
2004120729.tif 000176
2004120729.tif 000177
2004120729.tif 000178
2004120729.tif 000179
2004120729.tif 000180
2004120729.tif 000181
2004120729.tif 000182
2004120729.tif 000183
2004120729.tif 000184
2004120729.tif 000185
2004120729.tif 000186
2004120729.tif 000187
2004120729.tif 000188
2004120729.tif 000189
2004120729.tif 000190
2004120729.tif 000191
2004120729.tif 000192
2004120729.tif 000193
2004120729.tif 000194
2004120729.tif 000195
2004120729.tif 000196
2004120729.tif 000197
2004120729.tif 000198
2004120729.tif 000199
2004120729.tif 000200
2004120729.tif 000201
2004120729.tif 000202
2004120729.tif 000203
2004120729.tif 000204
2004120729.tif 000205
2004120729.tif 000206
2004120729.tif 000207
2004120729.tif 000208
2004120729.tif 000209
2004120729.tif 000210
2004120729.tif 000211
2004120729.tif 000212
2004120729.tif 000213
【図１６Ａ】
2004120729.tif 000214
【図１６Ｂ】
2004120729.tif 000215
2004120729.tif 000216
2004120729.tif 000217
2004120729.tif 000218
2004120729.tif 000219
2004120729.tif 000220
2004120729.tif 000221
2004120729.tif 000222
2004120729.tif 000223
2004120729.tif 000224
2004120729.tif 000225
2004120729.tif 000226
2004120729.tif 000227
2004120729.tif 000228
2004120729.tif 000229
2004120729.tif 000230
2004120729.tif 000231
2004120729.tif 000232
2004120729.tif 000233
2004120729.tif 000234
2004120729.tif 000235
2004120729.tif 000236
2004120729.tif 000237
2004120729.tif 000238
2004120729.tif 000239
2004120729.tif 000240
2004120729.tif 000241
2004120729.tif 000242
2004120729.tif 000243
【図１９Ｆ】
2004120729.tif 000244
【図２０Ａ】
2004120729.tif 000245
2004120729.tif 000246
2004120729.tif 000247
2004120729.tif 000248
2004120729.tif 000249
2004120729.tif 000250
2004120729.tif 000251
2004120729.tif 000252
2004120729.tif 000253
2004120729.tif 000254
2004120729.tif 000255
2004120729.tif 000256
2004120729.tif 000257
【図２０Ｈ】
2004120729.tif 000258
【図２０Ｉ】
2004120729.tif 000259
2004120729.tif 000260
2004120729.tif 000261
2004120729.tif 000262
2004120729.tif 000263
2004120729.tif 000264
2004120729.tif 000265
2004120729.tif 000266
2004120729.tif 000267
2004120729.tif 000268
2004120729.tif 000269
2004120729.tif 000270
2004120729.tif 000271
2004120729.tif 000272
2004120729.tif 000273
2004120729.tif 000274
2004120729.tif 000275
2004120729.tif 000276
2004120729.tif 000277
2004120729.tif 000278
2004120729.tif 000279
2004120729.tif 000280
2004120729.tif 000281
【図２３Ｇ】
2004120729.tif 000282
【図２３Ｈ】
2004120729.tif 000283
2004120729.tif 000284
2004120729.tif 000285
2004120729.tif 000286
2004120729.tif 000287
2004120729.tif 000288
2004120729.tif 000289
2004120729.tif 000290
2004120729.tif 000291
2004120729.tif 000292
2004120729.tif 000293
2004120729.tif 000294
2004120729.tif 000295
2004120729.tif 000296
2004120729.tif 000297
2004120729.tif 000298
2004120729.tif 000299
2004120729.tif 000300
2004120729.tif 000301
【図２５Ｄ】
2004120729.tif 000302
【図２６Ａ】
2004120729.tif 000303
2004120729.tif 000304
2004120729.tif 000305
2004120729.tif 000306
2004120729.tif 000307
2004120729.tif 000308
2004120729.tif 000309